(57)【特許請求の範囲】
【請求項１】
音楽情報や映像情報などの情報を格納している第１の記憶手段を備え、通信回線を通じてデータの送受が可能に構成されたパーソナルコンピュータと、
無線通信手段により前記通信回線に接続されて、前記通信回線を通じてデータの送受が可能であると共に、音楽情報の記録再生および／または映像情報の記録再生が可能な移動可能機器とからなり、
前記移動可能機器は、
前記パーソナルコンピュータとの間に前記通信回線を通じた通信路を形成するように要求する通信要求を、前記無線通信手段により、前記パーソナルコンピュータに送る通信路形成要求手段と、
形成された通信路を介して前記パーソナルコンピュータの前記第１の記憶手段に格納されている情報のダウンロードを要求するダウンロード要求手段と、
前記ダウンロード要求手段による要求によりダウンロードされてきた情報を第２の記憶手段に格納するダウンロード手段と、
放送受信手段および／または記録媒体再生手段と、
前記放送受信手段および／または記録媒体再生手段からの音楽情報および／または映像情報と、前記第２の記憶手段に格納されている音楽情報および／または映像情報とのいずれかを選択的に再生する情報再生手段と、
前記情報再生手段で再生されている放送受信手段および／または記録媒体再生手段からの音楽情報および／または映像情報について、ユーザにより指定された保存情報部分を、前記第２の記憶手段に格納する保存手段と、
前記保存情報部分に対して、ユーザにより保存指示に加えて、送信指示がなされたか否かを判別し、送信指示がなされたと判別したときに、前記保存情報部分を、前記通信路を介して前記パーソナルコンピュータに送信してアップロードする手段と、
を備え、
前記パーソナルコンピュータは、
前記移動可能機器からの通信要求を受けて、前記移動可能機器との間に前記通信回線を通じた通信路を形成するための通信路形成手段と、
前記通信路を通じた前記移動可能機器からの前記ダウンロードの要求に応じて、前記第１の記憶手段に格納されている情報を、前記形成された通信路を通じて前記移動可能機器にダウンロードするダウンロード手段と、
前記通信路を通じて前記移動可能機器から送信されてくる前記保存情報部分を受信して、前記第１の記憶手段に格納する手段と、
を備える情報記録再生システム。
【請求項２】
請求項１において、
前記パーソナルコンピュータは、
前記通信路を通じて、前記移動可能機器にダウンロード可能な情報のリストを送る手段を備え、
前記移動可能機器は、
前記リストをユーザに報知する手段と、
前記報知されたリストからダウンロードを要求する情報をユーザが選択するための選択操作手段と、
を備え、
前記移動可能機器の前記ダウンロード要求手段は、前記選択操作手段により選択された情報を示す選択指定情報を送出する手段を含み、
前記パーソナルコンピュータの前記ダウンロード手段は、前記通信路を通じて前記移動可能機器から送られてくる前記選択指定情報に基づいて、前記ダウンロードする情報を選択する
情報記録再生システム。
【請求項３】
請求項１において、
前記ダウンロードされる情報および前記アップロードされる情報は、圧縮されている情報記録再生システム。
【請求項４】
請求項１において、
前記通信回線は、電話回線であって、
前記パーソナルコンピュータの前記通信路形成手段は、前記移動可能機器からの通信要求があったときに、その発呼者側の電話番号により、通信路を形成するか否かを決定する情報記録再生システム。
【請求項５】
請求項１において、
前記移動可能機器の前記無線通信手段として、携帯電話端末が用いられる情報記録再生システム。
【請求項６】
請求項１において、
前記移動可能機器は、
ダウンロードを要求する情報の指定情報を保持する指定情報保持手段と、
時計回路と、
ダウンロードの要求を実行する要求実行時刻を設定する手段と、
前記時計回路により示される現在時刻が、前記要求実行時刻になったときに、前記通信路形成要求手段を起動させる手段と、
を備え、
前記ダウンロード要求手段は、前記指定情報保持手段に保持された指定情報で指定される情報のダウンロードを要求する
情報記録再生システム。
【請求項７】
前記移動可能機器は、車載機器である請求項１〜請求項７のいずれかに記載の情報記録再生システム。
【請求項８】
請求項１において、
前記移動可能機器は、
前記通信路を介して、前記第２の記憶手段に格納されている前記音楽情報および／または映像情報から選択された情報を前記パーソナルコンピュータにアップロードするアップロード手段と、さらに備える情報記録再生システム。
【請求項９】
請求項８において、
前記移動可能機器は、
前記アップロード手段によりアップロードする情報の指定情報を保持する指定情報保持手段と、
時計回路と、
アップロードの要求を実行する要求実行時刻を設定する手段と、
前記時計回路により示される現在時刻が、前記要求実行時刻になったときに、前記通信路形成要求手段を起動させる手段と、
を備え、前記アップロード手段は、前記指定情報保持手段に保持された指定情報で指定される情報をアップロードする
情報記録再生システム。
【請求項１０】
請求項１において、
前記移動可能機器は、
前記パーソナルコンピュータの前記第１の記憶手段と前記第２の記録手段の記憶内容を同期させるように要求する同期要求を、前記無線通信手段により、前記パーソナルコンピュータに送る同期要求手段と、
前記通信路を介して、前記第２の記憶手段の記憶内容のうちの前記同期に必要と判別された情報を前記パーソナルコンピュータに送出する手段と、
前記通信路を介して、前記パーソナルコンピュータから送られてくる情報を前記第２の記憶手段に記憶する手段と、
を備え、
前記パーソナルコンピュータは、
前記移動可能機器からの同期要求を受けて、前記移動可能機器との間に前記通信回線を通じた前記通信路を形成する手段と、
前記通信路を通じて前記移動可能機器から送られてきた情報のうちの、前記第１の記憶手段に記憶されていない情報を記憶する手段と、
前記第１の記憶手段に記憶されている情報のうちの、前記同期に必要と判別された情報を、前記通信路を通じて、前記移動可能機器に送出する手段と、
を備える情報記録再生システム。
【請求項１１】
請求項１０において、
前記移動可能機器は、
時計回路と、
ユーザによる設定された時刻を記憶する時刻記憶手段と、
を備えると共に、
前記同期要求手段は、
前記時計回路により示される現在時刻が、前記時刻記憶手段に記憶された時刻になったときに、前記パーソナルコンピュータとの間に前記通信回線を通じた通信路を形成し、前記第１の記憶手段と前記第２の記録手段の記憶内容を同期させるように要求する同期要求を、前記無線通信手段により、前記パーソナルコンピュータに送る
情報記録再生システム。
【請求項１２】
請求項１において、
前記パーソナルコンピュータは、
前記通信路を介して前記移動可能機器の前記第２の記憶手段と前記第１の記録手段の記憶内容を同期させるように要求する同期要求を、前記移動可能機器に送る同期要求手段と、
前記通信路を介して、前記第１の記憶手段のうちの、前記同期に必要と判別された情報を、前記移動可能機器に送出する手段と、
前記通信路を介して、前記移動可能機器から送られてくる情報を前記第１の記憶手段に記憶する手段と、
を備え、
前記移動可能機器は、
前記無線通信手段を介して前記パーソナルコンピュータからの同期要求を受けて、前記パーソナルコンピュータとの間に前記通信回線を通じた前記通信路を形成するための通信路形成手段と、
前記通信路を通じて前記パーソナルコンピュータから送られてきた情報のうちの、前記第２の記憶手段に記憶されていない情報を記憶する手段と、
前記第２の記憶手段に記憶されている情報のうちの、前記パーソナルコンピュータから送られてきた情報に含まれていない情報を、前記通信路を通じて、前記パーソナルコンピュータに送出する手段と、
を備える情報記録再生システム。
【請求項１３】
請求項１２において、
前記パーソナルコンピュータは、
時計回路と、
ユーザによる設定された時刻を記憶する時刻記憶手段と、
を備えると共に、
前記同期要求手段は、
前記時計回路により示される現在時刻が、前記時刻記憶手段に記憶された時刻になったときに、前記パーソナルコンピュータとの間に前記通信回線を通じた前記通信路を形成し、前記第１の記憶手段と前記第２の記録手段の記憶内容を同期させるように要求する同期要求を、前記移動可能機器に送る
情報記録再生システム。
【請求項１４】
通信回線に接続し、前記通信回線を通じてデータの送受を行うための無線通信手段と、
前記無線通信手段により、予め定められた特定の電話番号に発呼することにより、当該発呼先のパーソナルコンピュータとの間に前記通信回線を通じた通信路を形成するように要求する通信要求を、前記パーソナルコンピュータに送る通信路形成要求手段と、
形成された通信路を介して前記パーソナルコンピュータ側に設けられている第１の記憶手段に格納されている情報のダウンロードを要求するダウンロード要求手段と、
前記ダウンロード要求手段による要求によりダウンロードされてきた情報を第２の記憶手段に格納するダウンロード手段と、
放送受信手段および／または記録媒体再生手段と、
前記放送受信手段および／または記録媒体再生手段からの音楽情報および／または映像情報と、前記第２の記憶手段に格納されている音楽情報および／または映像情報とのいずれかを選択的に再生する情報再生手段と、
前記情報再生手段で再生されている放送受信手段および／または記録媒体再生手段からの音楽情報および／または映像情報について、ユーザにより指定された保存情報部分を、前記第２の記憶手段に格納する保存手段と、
前記保存情報部分に対して、ユーザにより保存指示に加えて、送信指示がなされたか否かを判別し、送信指示がなされたと判別したときに、前記保存情報部分を、前記通信路を介して前記パーソナルコンピュータに送信してアップロードする手段と、
を備える移動可能機器。
【請求項１５】
車載機器である請求項１４に記載の移動可能機器。
【発明の詳細な説明】
【０００１】
【発明の属する技術分野】
この発明は、例えば、音楽情報や映像情報の記録再生機能を備える車載機器などの移動可能機器およびこの移動可能機器と例えば自宅のパーソナルコンピュータとからなる情報記録再生システムに関する。
【０００２】
【従来の技術】
従来のいわゆるカーオーディオと呼ばれる車載音響機器で音楽を再生しようとする場合には、ＦＭラジオ放送、ＡＭラジオ放送、テレビ放送などの放送を除き、磁気テープ、コンパクトディスク（ＣＤ）、ミニディスク（ＭＤ）などの記録媒体を自動車内に持ち込み、車載機器の磁気テーププレーヤ部やＣＤプレーヤ部などに装填して、再生を行うようにする。
【０００３】
また、いわゆるカーナビゲーションシステムを使用しようとする場合には、自動車で走行しようとする地域の地図情報が記録されたＣＤ−ＲＯＭなどを予め車載機器に装填して用意しておく必要がある。
【０００４】
【発明が解決しようとする課題】
しかしながら、自動車で出かけたときに、磁気テープやＣＤなどの記録媒体を自動車に持ち込むのを忘れてしまった場合には、もはやそれらの記録媒体に記録されている音楽情報を楽しむことはできない。そこで、それらの記録媒体を、常時、自動車内に置いておくことも考えられるが、そのようにすると、今度は、その記録媒体を自宅で利用することができなくなってしまう。
【０００５】
また、自動車で外出して、未知の地域を走行しているときにカーナビゲーションシステムを利用したい場合であっても、その時に走行している地域の地図情報を記録しているＣＤ−ＲＯＭを、自動車内に用意していない場合には、カーナビゲーションシステムは利用できない。
【０００６】
この発明は、以上の点にかんがみ、記録媒体を、自宅と車載機器などの移動可能機器との間で行き来させなくても、外出先においても、また、自宅にいても、同じ音楽ソースや映像ソースを、再生して楽しむことができるようにすることを目的とする。
【０００７】
【課題を解決するための手段】
上記課題を解決するため、請求項１の発明は、
音楽情報や映像情報などの情報を格納している第１の記憶手段を備え、通信回線を通じてデータの送受が可能に構成されたパーソナルコンピュータと、
無線通信手段により前記通信回線に接続されて、前記通信回線を通じてデータの送受が可能であると共に、音楽情報の記録再生および／または映像情報の記録再生が可能な移動可能機器とからなり、
前記移動可能機器は、
前記パーソナルコンピュータとの間に前記通信回線を通じた通信路を形成するように要求する通信要求を、前記無線通信手段により、前記パーソナルコンピュータに送る通信路形成要求手段と、
形成された通信路を介して前記パーソナルコンピュータの前記第１の記憶手段に格納されている情報のダウンロードを要求するダウンロード要求手段と、
前記ダウンロード要求手段による要求によりダウンロードされてきた情報を第２の記憶手段に格納するダウンロード手段と、
放送受信手段および／または記録媒体再生手段と、
前記放送受信手段および／または記録媒体再生手段からの音楽情報および／または映像情報と、前記第２の記憶手段に格納されている音楽情報および／または映像情報とのいずれかを選択的に再生する情報再生手段と、
前記情報再生手段で再生されている放送受信手段および／または記録媒体再生手段からの音楽情報および／または映像情報について、ユーザにより指定された保存情報部分を、前記第２の記憶手段に格納する保存手段と、
前記保存情報部分に対して、ユーザにより保存指示に加えて、送信指示がなされたか否かを判別し、送信指示がなされたと判別したときに、前記保存情報部分を、前記通信路を介して前記パーソナルコンピュータに送信してアップロードする手段と、
を備え、
前記パーソナルコンピュータは、
前記移動可能機器からの通信要求を受けて、前記移動可能機器との間に前記通信回線を通じた通信路を形成するための通信路形成手段と、
前記通信路を通じた前記移動可能機器からの前記ダウンロードの要求に応じて、前記第１の記憶手段に格納されている情報を、前記形成された通信路を通じて前記移動可能機器にダウンロードするダウンロード手段と、
前記通信路を通じて前記移動可能機器から送信されてくる前記保存情報部分を受信して、前記第１の記憶手段に格納する手段と、
を備える情報記録再生システムを提供する。
【０００８】
この請求項１の情報再生システムにおいては、その時点で移動可能機器、例えば車載機器には存在しないが、自宅のパーソナルコンピュータの第１の記憶手段（例えばハードディスク）には格納されている音楽情報を楽しみたい場合には、車載機器の無線通信手段により、例えば自宅に電話をかけ、自宅のパーソナルコンピュータと電話回線を通じて通信路を形成する。そして、自宅のパーソナルコンピュータのハードディスクに格納されている希望する音楽情報のダウンロードを要求する。
【０００９】
すると、自宅のパーソナルコンピュータは、要求された音楽情報をハードディスクから読み出して、車載機器にダウンロードする。車載機器では、このダウンロードされた音楽情報を受信し、メモリやハードディスクなどの第２の記憶手段に格納する。
【００１０】
そして、車載機器では、再生手段により、この第２の記憶手段から、そのダウンロードされた音楽情報を読み出して、音響再生することにより、その音楽情報を楽しむことができる。
【００１１】
以上のようにして、請求項１の発明によれば、ユーザは、自宅のパーソナルコンピュータのハードディスクに音楽情報を蓄積しておけば、車載機器から何時でも、どこでも、これを通信路を通じてダウンロードして楽しむことができる。
また、請求項１の発明によれば、ユーザは、移動可能機器で再生中の放送情報や再生情報を、移動可能機器と自宅のパーソナルコンピュータの両方に保存したいと欲するときには、保存指示と共に、パーソナルコンピュータへの送信指示をすることにより、簡単にできる。
【００１２】
また、請求項２の発明は、請求項１に記載の情報記録再生システムにおいて、
前記パーソナルコンピュータは、
前記通信路を通じて、前記移動可能機器にダウンロード可能な情報のリストを送る手段を備え、
前記移動可能機器は、
前記リストをユーザに報知する手段と、
前記報知されたリストからダウンロードを要求する情報をユーザが選択するための選択操作手段と、
を備え、
前記移動可能機器の前記ダウンロード要求手段は、前記選択操作手段により選択された情報を示す選択指定情報を送出する手段を含み、
前記パーソナルコンピュータの前記ダウンロード手段は、前記通信路を通じて前記移動可能機器から送られてくる前記選択信号に基づいて、前記ダウンロードする情報を選択する
ことを特徴とする。
【００１３】
この請求項２の発明おいては、ユーザは、ダウンロードの要求の際に、パーソナルコンピュータ側から送られてくるダウンロード可能な情報のリストの中からダウンロードすべき情報を選択して指定することができる。
【００１４】
また、請求項４の発明は、請求項１に記載の情報記録再生システムにおいて、
前記通信回線は、電話回線であって、
前記パーソナルコンピュータの前記通信路形成手段は、前記移動可能機器からの通信要求があったときに、その発呼者側の電話番号により、通信路を形成するか否かを決定することを特徴とする。
【００１５】
この請求項４の発明によれば、パーソナルコンピュータは、電話をかけてきた相手の電話番号が、例えば登録された電話番号であるか否かにより、通信路を形成するかどうかを決定する。これにより、パーソナルコンピュータへの他人の勝手なアクセスを禁止することができる。
【００１６】
また、請求項６の発明は、請求項１に記載の情報記録再生システムにおいて、
前記移動可能機器は、
ダウンロードを要求する情報の指定情報を保持する指定情報保持手段と、
時計回路と、
ダウンロードの要求を行う要求時刻を設定する手段と、
前記時計回路により示される現在時刻が、前記要求時刻になったときに、前記通信路形成要求手段を起動させる手段と、
を備え、
前記ダウンロード要求手段は、前記指定情報保持手段に保持された指定情報で指定される情報のダウンロードを要求する
ことを特徴とする。
【００１７】
この請求項６の発明の情報記録再生システムにおいては、移動可能機器からダウンロードする時間を予約することができる。このため、夜間など、電話回線が混雑しておらず、通信料金が安価な時間帯を利用してダウンロードすることが可能になる。
【００３０】
また、請求項１０の発明は、請求項１において、
前記移動可能機器は、
前記パーソナルコンピュータの前記第１の記憶手段と前記第２の記録手段の記憶内容を同期させるように要求する同期要求を、前記無線通信手段により、前記パーソナルコンピュータに送る同期要求手段と、
前記通信路を介して、前記第２の記憶手段の記憶内容のうちの前記同期に必要と判別された情報を前記パーソナルコンピュータに送出する手段と、
前記通信路を介して、前記パーソナルコンピュータから送られてくる情報を前記第２の記憶手段に記憶する手段と、
を備え、
前記パーソナルコンピュータは、
前記移動可能機器からの同期要求を受けて、前記移動可能機器との間に前記通信回線を通じた前記通信路を形成する手段と、
前記通信路を通じて前記移動可能機器から送られてきた情報のうちの、前記第１の記憶手段に記憶されていない情報を記憶する手段と、
前記第１の記憶手段に記憶されている情報のうちの、前記同期に必要と判別された情報を、前記通信路を通じて、前記移動可能機器に送出する手段と、
を備える情報記録再生システムを提供する。
【００３１】
また、請求項１２の発明は、請求項１において、
前記パーソナルコンピュータは、
前記通信路を介して前記移動可能機器の前記第２の記憶手段と前記第１の記録手段の記憶内容を同期させるように要求する同期要求を、前記移動可能機器に送る同期要求手段と、
前記通信路を介して、前記第１の記憶手段のうちの、前記同期に必要と判別された情報を、前記移動可能機器に送出する手段と、
前記通信路を介して、前記移動可能機器から送られてくる情報を前記第１の記憶手段に記憶する手段と、
を備え、
前記移動可能機器は、
前記無線通信手段を介して前記パーソナルコンピュータからの同期要求を受けて、前記パーソナルコンピュータとの間に前記通信回線を通じた前記通信路を形成するための通信路形成手段と、
前記通信路を通じて前記パーソナルコンピュータから送られてきた情報のうちの、前記第２の記憶手段に記憶されていない情報を記憶する手段と、
前記第２の記憶手段に記憶されている情報のうちの、前記パーソナルコンピュータから送られてきた情報に含まれていない情報を、前記通信路を通じて、前記パーソナルコンピュータに送出する手段と、
を備える情報記録再生システムを提供する。
【００３２】
この請求項１０または請求項１２の発明によれば、例えば自宅のパーソナルコンピュータと車載機器との間で、相互にアップロード、ダウンロードを行うことにより、自宅のパーソナルコンピュータのハードディスクなどの第２の記憶手段の記憶情報内容と、車載機器のハードディスクなどの第１の記憶手段の記憶情報内容とを、全く同じにすることができる。
【００３８】
【発明の実施の形態】
以下、この発明による情報記録再生システムおよびこのシステムに使用する移動可能機器の実施の形態を、図を参照しながら説明する。以下に説明する実施の形態における移動可能機器は、車載機器の場合である。以下の実施の形態においては、通信回線としては電話回線を使用する。
【００３９】
［情報記録再生システムの全体の概要］
図１は、実施の形態の情報記録再生システムの全体の概要を示す図であり、この実施の形態は、ユーザの自宅などの家屋１０内のパーソナルコンピュータ１１と、ユーザの自動車２０内に搭載される車載機器２１との間を電話回線を通じて接続する場合である。
【００４０】
この例の場合、パーソナルコンピュータ１１は、ディスプレイ１１Ｄに接続されていると共に、ルーター１２を介してＩＳＤＮ回線３０などの有線回線に接続されている。また、パーソナルコンピュータ１１は、コンパクトディスク（ＣＤと以下略称する）から音楽情報（以下、オーディオデータという）を読取り、デコードして再生する機能を有すると共に、オーディオデータをデータ圧縮して、内蔵ハードディスクに保存することができる機能を備えている。
【００４１】
一方、車載機器２１では携帯電話端末２２を用いて電話回線と接続されるように構成されている。すなわち、携帯電話端末２２は、無線基地局３２、３３を通じて電話局３１に接続され、さらにＩＳＤＮ回線３０などの有線回線を通じて自宅のパーソナルコンピュータ１１と接続される。
【００４２】
［第１の実施の形態］
［パーソナルコンピュータ１１の構成例］
図２は、パーソナルコンピュータ１１のハードウエア構成例を示すもので、ＣＰＵ１０１に対して、システムバス１０２を介して、プログラム等が記憶されているＲＯＭ１０３と、ワークエリア用ＲＡＭ１０４と、ハードディスクドライブ１０５とが接続されている。
【００４３】
また、システムバス１０２には、操作部インタフェース１０６を介してキーボードやマウスなどの操作部１０７が接続されると共に、ディスプレイコントローラ１０８を介してＣＲＴ（Ｃａｔｈｏｄｅ  Ｒａｙ  Ｔｕｂｅ）ディスプレイや液晶ディスプレイなどのディスプレイ１０９が接続される。
【００４４】
また、ＣＤ−ＲＯＭドライブ１１０およびＣＤデコード部１１１がシステムバス１０２に接続されており、ＣＤ−ＲＯＭディスクに書き込まれているアプリケーションプログラムを読み出し、ハードディスクドライブ１０５のハードディスクに転送できるようにされている。また、ＣＤ−ＲＯＭドライブ１１０にＣＤ１３が装填されたときには、そのＣＤ１３からオーディオデータを読み出し、それをＣＤデコード部１１１でデコードする。そして、デコードしたオーディオデータを、Ｉ／Ｏポート１１２を通じてＤ／Ａコンバータ１１３に供給し、アナログ信号に変換して、出力端子１１４を通じて、例えば、図示しないオーディオアンプに供給する。
【００４５】
また、システムバス１０２に対して圧縮エンコード部１１５および伸長デコード部１１６が接続されている。ユーザによりオーディオデータの保存が指示された場合には、ＣＤデコード部１１１でデコードされたオーディオデータは、圧縮エンコード部１１５で、ＭＰ３（ＭＰＥＧ１  Ａｕｄｉｏ  ＬａｙｅｒIII ）などのオーディオデータの圧縮方式により圧縮されて、ハードディスクドライブ１０５に転送されて、ハードディスクに格納される。
【００４６】
このハードディスクに格納されたオーディオデータは、ユーザの指示により読み出され、伸長デコード部１１６によりオーディオデータに伸長され、Ｉ／Ｏポート１１２を通じてＤ／Ａコンバータ１１３に供給され、アナログオーディオ信号に変換されて、出力端子１１４を通じて出力される。
【００４７】
さらに、ルーター１２および電話回線を通じた通信のために、送信バッファ１１７および受信バッファ１１８と、Ｉ／Ｏポート１１９がシステムバス１０２に接続される。パーソナルコンピュータ１１から、電話回線を通じてデータを送信する場合には、送信すべきデータが送信バッファ１１７に転送され、この送信バッファからＩ／Ｏポート１１９を通じた制御信号により制御されたルーター１２を通じて電話回線に送信データが出力される。
【００４８】
また、例えば、電話回線を通じて送信されてきたデータをパーソナルコンピュータ１１で受信する場合には、ルーター１２を通じて送られてきたデータを受信バッファ１１８で受け、その受信データをＲＡＭ１０４やハードディスクドライブ１０５に転送して書き込むようにする。
【００４９】
この実施の形態では、受信されたデータがオーディオデータの場合、圧縮されているので、ＲＡＭ１０４やハードディスクに格納されたオーディオデータが読み出されたときには、上述と同様にして、そのデータは、伸長デコード部１１６により伸長され、Ｉ／Ｏポート１１２を通じてＤ／Ａコンバータ１１３に供給されて、アナログオーディオ信号とされる。
【００５０】
なお、記憶手段としては、内蔵のハードディスクドライブに限らず、パーソナルコンピュータに外付けのハードディスクドライブを用いることもできる。また、ＭＯ（Ｍａｇｎｅｔｏ−Ｏｐｔｉｃｓ）ディスク、ＣＤ−Ｒ、ＤＶＤディスク、記録可能なミニディスクなどを、そのドライブをパーソナルコンピュータに接続することにより用いることもできる。
【００５１】
また、大容量のＲＡＭやＩＣメモリなどの半導体メモリをパーソナルコンピュータに内蔵して、それを利用するようにしてもよい。
【００５２】
［車載機器のハードウエア構成例］
図３に、この実施の形態の車載機器２１のハードウエア構成例を示す。この実施の形態の車載機器２１は、音声放送番組を受信して再生する機能と、ＣＤを再生する機能と、磁気テープを再生する機能と、コンピュータからなる制御部２１０に内蔵のハードディスクドライブに記憶されているオーディオデータを再生する機能を備えている。
【００５３】
図３に示すように、この実施の形態の車載機器２１は、チューナ部２０１と、ＣＤを再生するＣＤプレーヤ部２０２と、カセットテーププレーヤ部２０３と、プリアンプ２０４と、パワーアンプ２０５と、スピーカ２０６と、制御部２１０とからなる。
【００５４】
制御部２１０に対しては、操作ボタン群２１７が接続されると共に、ディスプレイとしてのＬＣＤ（Ｌｉｑｕｉｄ  Ｃｒｙｓｔａｌ  Ｄｉｓｐｌａｙ）が接続され、さらに携帯電話端末２２がデータ通信用として接続されるように構成されている。そして、操作ボタン群２１７のいずれかのボタン操作に応じて、制御部２１０は、チューナ部２０１、ＣＤプレーヤ部２０２、カセットテーププレーヤ部２０３を制御すると共に、データ送信（アップロード）、データ受信（ダウンロード）、同期動作、データ再生、データ保存などを制御するようにする。
【００５５】
そして、この例では、チューナ部２０１は、ＦＭラジオ放送、ＡＭラジオ放送およびテレビ放送を受信可能であり、制御部２１０から供給されてくる選択信号により、いずれの放送の、いずれのチャンネルの放送番組を受信するかが制御される。そして、このチューナ部２０１で選択受信され、復調されたオーディオ信号は、セレクタを備えるプリアンプ２０４に供給される。
【００５６】
また、ＣＤプレーヤ部２０２で再生されて得られるオーディオ信号と、カセットテーププレーヤ部２０３で再生されて得られるオーディオ信号も、プリアンプ２０４に供給される。ＣＤプレーヤ部２０２やカセットテーププレーヤ部２０３の再生、早送り、巻き戻しなどの制御が、Ｉ／Ｏポート２２０を通じた制御部２１０からの制御信号により行われる。
【００５７】
さらに、後述もするように、制御部２１０に内蔵のハードディスクドライブ２１５のハードディスクに記憶されているオーディオデータから読み出されて、デコードされたオーディオ信号も、プリアンプ２０４に供給される。
【００５８】
そして、プリアンプ２０４のセレクタは、Ｉ／Ｏポート２２０を通じた制御部２１０からの選択制御信号により、チューナ部２０１、ＣＤプレーヤ部２０２、カセットテーププレーヤ部２０３および制御部２１０のハードディスクドライブ２１５のうちのいずれか一つからのオーディオ信号を選択するように制御される。
【００５９】
プリアンプ２０４で選択されたオーディオデータは、パワーアンプ２０５を通じてスピーカ２０６に供給されて、音響再生される。
【００６０】
図４は、この例の車載機器２１のフロントパネル部分の例を示すもので、比較的大きなスペースをＬＣＤ２１９のディスプレイ画面２１９Ｄが占めている。そして、操作ボタン群２１７を構成する複数個の操作ボタンが配されている。
【００６１】
この例では、操作ボタンとしては、チューナ選択ボタンＫ１、ＣＤ再生選択ボタンＫ２、カセットテープ再生選択ボタンＫ３、メモリ再生選択ボタンＫ４、アップダウン選択ボタンＫup、決定ボタンＫｅ、終了ボタンＫst、受信ボタン（ダウンロードボタン）Ｋｒ、送信ボタン（アップロードボタン）Ｋｔ、同期ボタンＫｃ、保存ボタンＲＥＣ、消去ボタンＥＲ、複数個の機能ボタンＦｋなどが配置されている。
【００６２】
なお、このフロントパネル部分は、開閉ボタンＫopを操作することにより、例えばスライド移動あるいは回動して、その裏側にあるＣＤ挿入口やカセットテープ装填口を露呈させる構造とされている。
【００６３】
また、ディスプレイ画面２１９Ｄの下側の複数個のボタンＦｋは、ディスプレイ画面２１９Ｄに表示される機能表示部分に示される機能ボタンとして働く。ディスプレイ画面２１９Ｄに表示される機能表示部分には、ボタンＫ１〜Ｋ４のいずれかを操作して、それぞれのモードになったとき、そのモードに応じた機能を表示するものであり、各機能表示部分の直下の機能ボタンＦｋのそれぞれを操作すると、その機能を実行する。
【００６４】
例えば、ボタンＫ１が押されて、チューナ部２０１が選択されているモードでは、複数個の機能ボタンＦｋは、ＦＭ／ＡＭ／ＴＶのバンド切り換えボタンや、選局ボタンの役割をする。また、ＣＤプレーヤ部２０２やカセットプレーヤ部２０３が選択されるモードでは、機能ボタンＦｋは、再生ボタン、早送りボタン、巻戻しボタン、トラック選択ボタンなどの役割をする。
【００６５】
選択ボタンＫupは、Ｋ１〜Ｋ４のいずれかのボタンを操作して、再生状態にしたときには、音量調整ボタンや、チューナ再生モードの際の受信周波数選択ボタンとして働くと共に、受信ボタンＫｒや送信ボタンＫｔを操作して、ダウンロードやアップロードを行う場合には、表示画面２１９Ｄに表示されるリスト画面や操作画面からの項目選択などに用いられる。
【００６６】
また、決定ボタンＫｅは、選択された項目を決定する時などに押下されて用いられる。
【００６７】
次に、制御部２１０について説明する。制御部２１０においては、ＣＰＵ２１１に対して、システムバス２１２を介して、プログラム等が記憶されているＲＯＭ２１３と、ワークエリア用ＲＡＭ２１４と、ハードディスクドライブ２１５とが接続されている。
【００６８】
また、システムバス２１２には、操作部インタフェース２１６を介して操作ボタン群２１７が接続されると共に、ＬＣＤコントローラ２１８を介してＬＣＤ２１９が接続されている。
【００６９】
さらに、電話回線を通じた通信のために、送信バッファ２２３および受信バッファ２２４と、携帯端末インタフェース２２５がシステムバス２１２に接続される。この車載機器２１から、電話回線を通じてデータを送信する場合には、送信すべきデータが送信バッファ２２３に転送され、この送信バッファ２２３から携帯端末インタフェース２２５および携帯電話端末２２を通じて電話回線に送信データが出力される。
【００７０】
また、例えば、電話回線を通じて送信されてきたデータを車載機器２１で受信する場合には、携帯電話端末２２を通じて送られてきたデータを、携帯端末インタフェース２２５を通じて受信バッファ２２４で受け、その受信データをＲＡＭ２１４やハードディスクドライブ２１５に転送する。
【００７１】
また、システムバス２１２に対して、圧縮エンコード部２２１および伸長デコード部２２２が接続されている。オーディオデータの圧縮は、パーソナルコンピュータ１１側と同じ圧縮方式により行われ、この例では、ＭＰ３（ＭＰＥＧ１  Ａｕｄｉｏ  ＬａｙｅｒIII ）などの圧縮方式により圧縮が実行される。
【００７２】
操作ボタン群２１７のうちの保存ボタンＲＥＣのユーザによる操作によりオーディオデータの保存が指示された場合に、圧縮エンコード部２２１は、プリアンプ２０４からの圧縮されていないオーディオデータをハードディスクドライブ２１５に転送して書き込む際に、そのオーディオデータを圧縮する。圧縮エンコード部２２１は、また、電話回線を通じて送信するオーディオデータが圧縮されていない場合に、送信バッファ２２３に転送する前に、そのオーディオデータを圧縮するようにする。
【００７３】
伸長デコード部２２２は、ハードディスクドライブ２１５から圧縮されているオーディオデータを読み出して再生するときに、その圧縮データを伸長デコードし、そのデコードしたオーディオデータをプリアンプ２０４に供給する。また、受信バッファ２２４で受信した圧縮されているオーディオデータを保存することなく、再生する場合に、受信バッファ２２４の圧縮データを伸長デコードして、プリアンプ２０４に供給する。
【００７４】
以上のような構成の車載機器２１において、チューナ選択ボタンＫ１が押下されると、チューナ再生モードとなり、プリアンプ２０４のセレクタは、チューナ部２０１からのオーディオ信号を選択する状態に切り換えられる。そして、機能ボタンＦｋや選択ボタンＫupなどの操作により、選択指定されたバンドの放送番組の音声信号がスピーカ２０６から再生される。
【００７５】
また、ＣＤ再生選択ボタンＫ２が押下されると、ＣＤ再生モードとなり、プリアンプ２０４のセレクタは、ＣＤプレーヤ部２０２からのオーディオ信号を選択する状態に切り換えられる。ＣＤプレーヤ部２０２は装填されているＣＤの再生を実行するが、この場合に、機能ボタンＦｋや選択ボタンＫupなどの操作により、選択指定されたトラック（楽曲）が再生される。
【００７６】
また、カセットテープ再生選択ボタンＫ３が押下されると、カセットテープ再生モードとなり、プリアンプ２０４のセレクタは、カセットテーププレーヤ部２０２からのオーディオ信号を選択する状態に切り換えられる。そして、このモードでは、機能ボタンＦｋなどの操作により、テープの走行が制御され、カセットテーププレーヤ部２０３は、装填されているカセットテープの再生を実行する。カセットテーププレーヤ部２０３で再生された音声信号は、プリアンプ２０４およびパワーアンプ２０５を通じてスピーカ２０６に供給されて、音響再生される。
【００７７】
また、メモリ再生選択ボタンＫ４が押下されると、ハードディスクドライブ２１５のハードディスクの保存データの再生モードとなり、プリアンプ２０４のセレクタは、伸長デコード部２２２の出力オーディオ信号を選択する状態に切り換えられる。そして、機能ボタンＦｋや選択ボタンＫupなどの操作により、選択指定されたファイル（楽曲）が、ハードディスクドライブ２１５により、ハードディスクから読み出され、伸長デコード部２２２でデコードされ、プリアンプ２０４およびパワーアンプ２０５を通じてスピーカ２０６に供給されて、音響再生される。
【００７８】
また、保存ボタンＲＥＣが押下されたときには、その時にプリアンプ２０４から出力されるオーディオ信号が、圧縮エンコード部２２１で圧縮エンコードされ、ハードディスクドライブ２１５に転送されて、ハードディスクに書き込まれて、保存される。この保存の際には、保存したオーディオ情報にファイル名（曲名など）を付与して、保存する。このファイル名の保存は、選択ボタンＫupや決定ボタンＫｅや機能ボタンＦｋなどが用いられて、表示画面２１９Ｄの表示に基づいて行うことができるように構成されている。
【００７９】
そして、受信ボタンＫｒを押下すると、後で詳述するようにして、自宅のパーソナルコンピュータ１１に対して、携帯電話端末２２を通じて電話をかけて、電話回線により接続し、自宅のコンピュータ１１のハードディスクに格納されているオーディオデータのダウンロードを行うことができる。
【００８０】
また、送信ボタンＫｔを押下すると、後で詳述するようにして、自宅のパーソナルコンピュータ１１に対して、携帯電話端末２２を通じて電話をかけて、電話回線により接続し、車載機器２１のハードディスクに保存されているファイルを、自宅のパーソナルコンピュータ１１にアップロードして、そのハードディスクに格納することができる。
【００８１】
さらに、同期ボタンＫｃを押下すると、後で詳述するようにして、予め設定された時間において、自宅のパーソナルコンピュータ１１に対して、携帯電話端末２２を通じて電話をかけて、電話回線により接続し、前記アップロードの機能と、ダウンロードの機能とを用いて、自宅のパーソナルコンピュータ１１のハードディスクのオーディオデータの記憶内容と、車載機器２１のハードディスクのオーディオデータの記憶内容とが一致するように、同期を取ることができる。
【００８２】
この場合に、自宅のパーソナルコンピュータ１１は、車載機器からの上述のダウンロード、アップロードおよび同期の要求の際の電話着信に応答して、通信路を接続する際に、電話をかけてきた相手の電話番号（発信者電話番号）をチェックし、予め登録された自分の携帯電話の番号であるか否かにより、応答して通信路を形成するか否かを判断する機能を備える。
【００８３】
これにより、パーソナルコンピュータ１１に登録された自分の携帯電話の番号以外からのアクセス要求に対しては、パーソナルコンピュータ１１は、応答を許否するようにして、自分以外の者からのアクセス要求に対して、当該パーソナルコンピュータ１１が通信路を接続することを回避するようにしている。
【００８４】
なお、後述する例においては、よりセキュリティーを強固にするために、識別コードやパスワードがパーソナルコンピュータ１１と車載機器２１との間で設定されており、パーソナルコンピュータ１１は、前述の発信者電話番号だけでなく、これらの識別コードやパスワードをもチェックして、電話回線を通じた通信路を形成するか否かを決定するようにしている。
【００８５】
なお、車載機器２１の記憶手段としては、内蔵のハードディスクドライブに限らず、ＭＯ（Ｍａｇｎｅｔｏ−Ｏｐｔｉｃｓ）ディスク、ＣＤ−Ｒ、ＤＶＤディスク、記録可能なミニディスクなどのドライブを外付けや内蔵として用いることもできる。また、大容量のＲＡＭやＩＣメモリなどの半導体メモリを車載機器に内蔵して、それを利用するようにしてもよい。
【００８６】
［ダウンロード動作の説明］
次に、車載機器２１で受信ボタンＫｒが押下されることにより、起動されるダウンロードの動作を、図５〜図７および図８、図９を参照して説明する。図５〜図７は、ダウンロード動作時の車載機器２１側での処理のフローチャートであり、また、図８、図９は、ダウンロード時のパーソナルコンピュータ１１側での処理のフローチャートである。
【００８７】
すなわち、車載機器２１において、ユーザにより受信ボタンＫｒが押下されると、制御部２１０では、それを認識する（図５のステップＳ１０１）。そして、制御部２１０は、自宅の電話番号へ発呼するように、携帯端末インタフェース２２５を通じて携帯電話端末２２を制御する（同、ステップＳ１０２）。すると、携帯電話端末２２は、予め登録されている自宅の電話番号を用いて、発呼を行う。
【００８８】
パーソナルコンピュータ１１は、この携帯電話端末２２からの発呼による着信を検出し（図８のステップＳ２０１）、発信者電話番号をチェックする（同、ステップＳ２０２）。そして、発信者電話番号が、予めパーソナルコンピュータ１１に登録された携帯電話端末２２の電話番号であるか否かを判別し（同、ステップＳ２０３）、携帯電話端末２２の電話番号と異なるときには、応答をしない（同、ステップＳ２０４）。したがって、自宅の電話回線に接続されている電話端末のベルが鳴動し、通常の電話着信と同様の動作となる。
【００８９】
一方、発信者電話番号が、登録された携帯電話端末２２の電話番号と同じであると判別されたときには、パーソナルコンピュータ１１は、自動応答して（同、ステップＳ２０５）、回線を接続する。
【００９０】
車載機器２１では、パーソナルコンピュータ１１の自動応答により、自宅のパーソナルコンピュータと接続されたことを検知すると（図５のステップＳ１０３）、予め用意されている識別コードと、パスワードと、動作モード「受信」を示す情報を送信する（同、ステップＳ１０４）。
【００９１】
パーソナルコンピュータ１１は、これらの識別コードと、パスワードと、動作モード「受信」を示す情報を受信し（図８のステップＳ２０６）、まず、識別コードが登録されたものと等しい正しいものであるか否かを判別し（同、ステップＳ２０７）、次に、パスワードが登録された正しいものであるか否か判別する（同、ステップＳ２０８）。そして、識別コードとパスワードのいずれかが正しくないときには、パーソナルコンピュータ１１は、通信路の形成を拒否する「接続ＮＧ」の信号を車載機器２１側に送る（同、ステップＳ２０９）。その後、回線切断制御を行う（同、ステップＳ２１０）。
【００９２】
車載機器２１では、パーソナルコンピュータ１１での識別コードと、パスワードによる認証結果を待ち（図５のステップＳ１０５）、前記「接続ＮＧ」の信号がパーソナルコンピュータ１１から送られてきたときには、ディスプレイ画面２１９Ｄに「接続ＮＧ」の文字を表示し（同、ステップＳ１０６）、回線切断制御を行う（同、ステップＳ１０７）。
【００９３】
一方、パーソナルコンピュータ１１での認証の結果、識別コードおよびパスワードが共に正しいと判別されたときには、パーソナルコンピュータ１１では、動作モードの判別を行う（図８のステップＳ２１１）。
【００９４】
そして、このダウンロードのルーチンでは、動作モードが「受信」と判別されるので、パーソナルコンピュータ１１は、ハードディスクドライブ１０５のハードディスクに記憶されているダウンロード可能なＮ個（Ｎは１以上の整数）のオーディオファイル（１）〜（Ｎ）のファイルリストを読み出す（図９のステップＳ２１２）。そして、その読み出したファイルリストを、車載機器２１側に送信する（同、ステップＳ２１３）。このファイルリストには、タイトル名（曲名）やアーチスト名などの情報が含まれる。
【００９５】
車載機器２１では、このファイルリストを受信すると、そのファイルリストをディスプレイ画面２１９Ｄに表示して、ユーザにダウンロードを要求するファイルの選択を促す（図５のステップＳ１０８）。
【００９６】
このとき、車載機器２１では、ファイルリストと共に、全てのファイルをダウンロードするか否かのメッセージと、「ＹＥＳ」、「ＮＯ」とが、ディスプレイ画面２１９Ｄに表示される。ユーザは、選択ボタンＫupおよび決定ボタンＫｅを用いて、「ＹＥＳ」または「ＮＯ」を選択することで、全てのファイルのダウンロードをするか否かを選択する。「ＹＥＳ」を選択することで、全てのファイルのダウンロードが選択され、「ＮＯ」を選択することで、個々に選択指定したファイル単位のダウンロードができる。また、終了ボタンＫstを押下することで、ダウンロードを終了することができる。
【００９７】
そこで、車載機器２１では、例えば、「ＹＥＳ」、「ＮＯ」の選択指示によるダウンロードの指示入力があったか否か判別し（同、ステップＳ１０９）、また、終了ボタンＫstの操作による「受信」モードの終了指示があったか否か判別する（同、ステップＳ１１０）。
【００９８】
そして、「受信」モードの終了指示があったと判別したときには、ディスプレイ画面２１９Ｄに「ダウンロード終了」を表示し（同、ステップＳ１１１）、ダウンロード終了指示を、パーソナルコンピュータ１１側に送信する（同、ステップＳ１１２）。その後、回線切断制御を行う（同、ステップＳ１０７）。
【００９９】
パーソナルコンピュータ１１側では、ダウンロード可能なファイルのリストを送った後、ダウンロード要求を受信したか、または、ダウンロード終了指示を受信したかを、それぞれ判別する（図９のステップＳ２１４およびステップＳ２２６）。そして、ダウンロード終了指示を受信したときには、回線切断制御を行う（同、ステップＳ２２３）。
【０１００】
車載機器２１のステップＳ１０９で、ダウンロードの指示入力有りと判別したときには、その指示入力が全てのファイルのダウンロード要求指示か否かを判別する（図５のステップＳ１１３）。そして、全てのファイルのダウンロード要求の指示であったときには、その指示をパーソナルコンピュータ１１側に送信する（図６のステップＳ１１４）。
【０１０１】
パーソナルコンピュータ１１では、このダウンロード要求が、ステップＳ２１４で認識され、また、それが全てのファイルのダウンロード要求であるか否かが判別される（図９のステップＳ２１５）。全てのファイルのダウンロード要求でなければ、個々のファイルのダウンロード要求と判別される。全てのダウンロード要求であると判別された場合には、全てのファイルをダウンロードするための準備のために、ファイル番号を示す変数ｎを初期値（ｎ＝１）に設定する（同、ステップＳ２１６）。
【０１０２】
そして、ハードディスクドライブ１０５のハードディスクから、指定されたファイル（ｎ）の圧縮オーディオデータおよびタイトル名などの付随情報を読み出し、送信バッファ１１７に転送する（同、ステップＳ２１７）。そして、送信バッファ１１７から、そのファイル（ｎ）のオーディオデータおよび付随情報を、車載機器２１側に送信する（同、ステップＳ２１８）。ここで、このファイル（ｎ）のオーディオデータは圧縮されているのは前述した通りである。
【０１０３】
車載機器２１では、このダウンロードされてきたファイル（ｎ）のオーディオデータを受信バッファ２２４に一旦取り込み（図６のステップＳ１１５）、ハードディスクドライブ２１５に転送して、そのハードディスクに当該ファイル（ｎ）の圧縮オーディオデータおよび付随情報を書き込み、保存する（同、ステップＳ１１６）。
【０１０４】
そして、この保存が完了すると、「ファイル（ｎ）の受信完了」を示す情報をパーソナルコンピュータ１１側に送信する（同、ステップＳ１１７）。車載機器２１は、以上の処理を全てのファイルがダウンロードされてくるまで、繰り返す。
【０１０５】
自宅のパーソナルコンピュータ１１では、車載機器２１側から送られてきた「ファイル（ｎ）の受信完了」を示す情報を受信する（図９のステップＳ２１９）と、変数ｎの値が最後のファイルの番号Ｎであるか否か判別し（同、ステップＳ２２０）、最後のファイルでなければ、全てのファイルのダウンロードが終了していないので、変数ｎを次の値、つまり、ｎ＝ｎ＋１にして（同、ステップＳ２２１）、ステップＳ２１７に戻り、次のファイル（ｎ）のオーディオデータを車載機器２１側に送信する。
【０１０６】
そして、全てのファイルのダウンロードを終了すると、それがステップＳ２２０で判別される。すると、パーソナルコンピュータ１１は、「送信完了」を示す情報を車載機器２１側に送信し（同、ステップＳ２２２）、回線切断制御を行う（同、ステップＳ２２３）。
【０１０７】
一方、車載機器２１では、パーソナルコンピュータ１１からの「送信完了」を示す情報を受信すると（図６のステップＳ１１８）、ディスプレイ画面２１９Ｄに「ダウンロード完了」を表示する（同、ステップＳ１１９）。そして、回線切断制御を行う（同、ステップＳ１２０）。
【０１０８】
次に、全てのファイルのダウンロードではなく、ユーザにより指定されたファイルのダウンロードについて説明する。
【０１０９】
すなわち、車載機器２１において、ダウンロードの指示が、全てのファイルのダウンロードではなく「ＮＯ」が選択されたものである場合には、それぞれのファイル（ｎ）のタイトル名などの個々のファイル選択の資料となる情報を表示するための準備のために、ファイル番号を示す変数ｎを初期値（ｎ＝１）に設定する（図７のステップＳ１２１）。
【０１１０】
すると、その変数ｎのファイル（ｎ）のタイトル名などが、ディスプレイ画面２１９Ｄに表示される（同、ステップＳ１２２）。この例では、ファイル（ｎ）のタイトル名などは、一つのファイルづつ、ディスプレイ画面２１９Ｄに表示される。
【０１１１】
次に、車載機器２１では、決定ボタンＫｅが押下されたか否か判別される（同、ステップＳ１２３）。この決定ボタンＫｅの押下は、ディスプレイ画面２１９Ｄにその時にタイトル名などが表示されているファイルのダウンロード要求を意味する。そこで、決定ボタンＫｅが押下されたと判別されたときには、当該表示中のファイル（ｎ）のダウンロード要求の指示をパーソナルコンピュータ１１側に送信する（同、ステップＳ１２４）。
【０１１２】
パーソナルコンピュータ１１側では、このファイル（ｎ）のダウンロード要求を、図９のステップＳ２１５で判別し、ハードディスクドライブ１０５のハードディスクから指定されたファイル（ｎ）の圧縮オーディオデータおよび付随情報を読み出し、送信バッファ１１７に転送する（図９のステップＳ２２４）。そして、この送信バッファ１１７の圧縮オーディオデータおよび付随情報を、車載機器２１側に送信する（同、ステップＳ２２５）。
【０１１３】
車載機器２１では、送信されてきたファイル（ｎ）の圧縮オーディオデータおよび付随情報を受信バッファ２２４に取り込み（図７のステップＳ１２５）、ハードディスクドライブ２１５に転送して、そのハードディスクに書き込み、保存する（同、ステップＳ１２６）。そして、ファイル（ｎ）の保存の完了を確認すると（同、ステップＳ１２７）、ディスプレイ画面２１９Ｄにタイトル名などを表示するファイルを次のものに更新する（同、ステップＳ１２８、１２９、１３０）。そして、ステップＳ１２２に戻り、更新したファイル（ｎ）のタイトル名などをディスプレイ画面２１９Ｄに表示する。
【０１１４】
決定ボタンＫｅが押下されなかった場合には、選択ボタンＫupが押下されたか否か判別される（同、ステップＳ１３１）。この選択ボタンＫupの押下は、ダウンロード要求するファイルを他の候補にする操作を意味する。
【０１１５】
すなわち、選択ボタンＫupが押下されると、アップボタンの操作であれば、次のｎ＝ｎ＋１のファイル（ｎ）の選択となり、また、ダウンボタンの操作であれば、前のｎ＝ｎ−１のファイル（ｎ）の選択となる（同、ステップＳ１３２）。このとき、最後のファイル（Ｎ）から次のファイルが指定されたときには、最初のファイル（１）に戻り、また、最初のファイル（１）よりも前のファイルが指定された場合には、最後のファイル（Ｎ）の選択とされる（同、ステップＳ１３３〜ステップＳ１３６）。
【０１１６】
そして、選択されたファイルが更新されると、ステップＳ１２２に戻り、更新したファイル（ｎ）のタイトル名などをディスプレイ画面２１９Ｄに表示する。その状態で、決定ボタンＫｅが押下されると、その更新されたファイル（ｎ）のダウンロード要求が、前述と同様にして、実行され、そのファイル（ｎ）の圧縮オーディオデータおよび付随情報がハードディスクに保存される。
【０１１７】
決定ボタンＫｅおよび選択ボタンＫupが押下されなかった場合には、終了ボタンＫstが押下されたか否か判別される（同、ステップＳ１３７）。そして、終了ボタンＫstが押下されなかったと判別されたときには、ステップＳ１２３に戻り、終了ボタンＫstが押下されたと判別されたときには、ディスプレイ画面２１９Ｄに「ダウンロード終了」を表示し（同、ステップＳ１３８）、ダウンロード終了指示を、パーソナルコンピュータ１１側に送信する（同、ステップＳ１３９）。その後、回線切断制御を行う（同、ステップＳ１４０）。
【０１１８】
ダウンロード終了指示を受け取ったパーソナルコンピュータ１１は、それを図９のステップＳ２２６で判別し、回線切断制御を行う（図９のステップＳ２２３）。
【０１１９】
以上のようにして、この実施の形態の情報再生システムによれば、自宅のパーソナルコンピュータ１１のハードディスクに保存してあるオーディオ情報を、車載機器２１のハードディスクに、何時でも、どこからでもダウンロードすることができる。したがって、従来のように、記録媒体を自動車内に持ち込む必要がなく、何時でも、どこでも、自動車内において、家庭と同じ音楽を楽しむことが可能になる。
【０１２０】
なお、ダウンロードしたオーディオデータの保存用のメディアとしては、ハードディスクに限られるものではない。例えば、記録可能なミニディスク、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔａｂｌｅ）などの記録可能なディスク媒体や、半導体メモリ（ＩＣメモリ）などにオーディオデータを保存する機能を車載機器に備えておき、ダウンロードしたオーディオデータをそれらの記録媒体に保存することもできる。ＣＤ−ＲＷなどの記録媒体を用いる場合には、車載機器に対して着脱可能とすることができ、便利である。また、記録媒体の交換が可能であるので、実質上、記録容量に制限がなくなる。
【０１２１】
［車載機器における再生についての説明］
以上のようにしてハードディスクに保存されたオーディオデータは、前述もしたように、メモリ再生ボタンＫ４が押下されることにより再生される。以下、このメモリ再生を中心に、車載機器２１でのオーディオ信号の再生について説明する。
【０１２２】
図１０は、車載機器２１における再生動作を説明するためのフローチャートである。
【０１２３】
まず、再生選択のボタンＫ１〜Ｋ４のいずれかが押下されたか否かを判別する（ステップＳ３０１）。ボタンＫ１〜Ｋ４のいずれか以外のボタン操作であったときには、そのボタン操作に応じた処理のルーチンに移行する。一方、ボタンＫ１〜Ｋ４のいずれかの押下であると判別されたときには、その押下されたのがボタンＫ４であるか否かを判別する（ステップＳ３０２）。
【０１２４】
押下されたボタンがＫ４でなければ、ボタンＫ１〜Ｋ３のうちの押下されたボタンに応じた再生モード、つまり、チューナ再生モード、ＣＤ再生モード、テープ再生モードのうちの選択されたいずれかのモードにする（ステップＳ３０３）。そして、その再生モードの状態において、再生選択のボタンＫ１〜Ｋ４のいずれかが押下されたか否かを判別し（ステップＳ３０４）、押下されなければ、その時の再生モードを継続し、ボタンＫ１〜Ｋ４のいずれかの押下が検知されたときには、ステップＳ３０２に戻り、その押下されたボタンがＫ４であるか否かを判別する。
【０１２５】
そして、ステップＳ３０２で、ボタンＫ４が押下されたと判別されたときには、メモリ再生モードと認識し、ハードディスクに記憶されているオーディオデータの再生を行う。
【０１２６】
すなわち、まず、再生するオーディオファイルの候補をユーザに順次に報知するための準備のために、ファイル番号を示す変数ｎを初期値（ｎ＝１）に設定する（ステップＳ３０５）。そして、ハードディスクドライブ２１５のハードディスクから、指定されたファイル（ｎ）のタイトル名などを読み出し、ディスプレイ画面２１９Ｄに表示する（ステップＳ３０６）。
【０１２７】
次に、決定ボタンＫｅが押下されたか否か判別し（ステップＳ３０７）、決定ボタンＫｅが押下されたと判別されたときには、プリアンプ２０４のセレクタを、ハードディスクからのオーディオデータの伸長デコードデータ、つまり、伸長デコード部２２２からのオーディオ信号を選択する状態に切り換える（ステップＳ３０８）。そして、ハードディスクドライブ２１５のハードディスクから、指定されたファイル（ｎ）のオーディオデータを読み出し、伸長デコード部２２２に転送する（ステップＳ３０９）。
【０１２８】
したがって、ハードディスクドライブ２１５から転送されてきた圧縮オーディオデータは、伸長デコード部２２２で伸長デコードされ、プリアンプ２０４に供給される。そして、パワーアンプ２０５を通じてスピーカ２０６に供給され、音響再生される。
【０１２９】
ファイル（ｎ）のオーディオデータの全てが、ハードディスクから読み出されるまで、ステップＳ３０９の動作が継続する（ステップＳ３１０）。そして、ファイル（ｎ）のオーディオデータの再生が終了すると、ファイル番号を示す変数ｎが、最後のファイルの番号Ｎであるか否か判別し（ステップＳ３１１）、最後の番号Ｎであれば、最初の番号ｎ＝１にし（ステップＳ３１２）、また、最後のファイルでなければ、変数ｎを次の値、つまり、ｎ＝ｎ＋１にして（ステップＳ３１３）、ステップＳ３０６に戻り、次のファイル（ｎ）のオーディオデータのタイトル名などをディスプレイ画面２１９Ｄに表示する。
【０１３０】
そして、当該次のファイル（ｎ）について、決定ボタンＫｅが押下されれば、上述同様にして、ステップＳ３０７〜ステップＳ３１３が繰り返されて、そのファイル（ｎ）の再生が行なわれる。
【０１３１】
決定ボタンＫｅが押下されなかった場合には、選択ボタンＫupが押下されたか否か判別される（図１１のステップＳ３１４）。この選択ボタンＫupの押下は、再生を希望するオーディオファイルを他の候補にする操作を意味する。
【０１３２】
すなわち、選択ボタンＫupが押下されると、アップボタンの操作であれば、次のｎ＝ｎ＋１のファイル（ｎ）の選択となり、また、ダウンボタンの操作であれば、前のｎ＝ｎ−１のファイル（ｎ）の選択となる（同、ステップＳ３１５）。このとき、最後のファイル（Ｎ）から次のファイルが指定されたときには、最初のファイル（１）に戻り、また、最初のファイル（１）よりも前のファイルが指定された場合には、最後のファイル（Ｎ）の選択とされる（同、ステップＳ３１６〜ステップＳ３１９）。
【０１３３】
そして、選択されたファイルが更新されると、ステップＳ３０６に戻り、更新したファイル（ｎ）のタイトル名などをディスプレイ画面２１９Ｄに表示する。その状態で、決定ボタンＫｅが押下されると、前述と同様にして、その更新されたファイル（ｎ）の再生が実行される。
【０１３４】
決定ボタンＫｅおよび選択ボタンＫupが押下されなかった場合には、終了ボタンＫstが押下されたか否か判別される（同、ステップＳ３２０）。そして、終了ボタンＫstが押下されなかったと判別されたときには、ステップＳ３０７に戻り、終了ボタンＫstが押下されたと判別されたときには、メモリ再生モードの直前に選択されていた再生モードに戻る（同、ステップＳ３２１）。
【０１３５】
［車載機器における保存動作についての説明］
前述もしたように、この実施の形態の車載機器２１では、保存ボタンＲＥＣを押下することにより、プリアンプ２０４の出力オーディオ信号を圧縮して、ハードディスクに記録することができるように構成されている。すなわち、チューナ部２０１で受信した放送番組のオーディオ信号、自動車内に持ち込まれたＣＤをＣＤプレーヤ部２０２で再生したオーディオ信号、あるいは自動車内に持ち込まれたカセットテープをテーププレーヤ部２０３で再生したオーディオ信号を、ハードディスクに保存することができる。この保存したオーディオ信号は、上述したようにして、再生することができる。
【０１３６】
図１２は、この実施の形態の車載機器における保存動作を説明するためのフローチャートである。
【０１３７】
まず、保存ボタンＲＥＣが押下されたか否か判別する（ステップＳ４０１）。保存ボタンＲＥＣが押下されないときには、他の処理ルーチンへ移行する。一方、保存ボタンＲＥＣが押下されたと判別されたときには、プリアンプ２０４の出力オーディオ信号を圧縮エンコード部２２１で圧縮エンコードし（ステップＳ４０２）、その圧縮エンコードしたデータを、送信バッファ２２３に一時保存する（ステップＳ４０３）。
【０１３８】
次に、保存ボタンＲＥＣが再度押下されたか否か判別する（ステップＳ４０４）。再度の押下がされないと判別されたときには、ステップＳ４０２に戻り、プリアンプ２０４の出力データの圧縮エンコードおよび送信バッファ２２３への一時保存を継続する。
【０１３９】
そして、保存ボタンＲＥＣが再度押下されたと判別されたときには、圧縮エンコード部２２１における圧縮エンコード処理を停止し、また、送信バッファ２２３へのデータの保存も、そこで停止する（ステップＳ４０５）。このとき、この例では、送信バッファ２２３には、保存ボタンＲＥＣが最初に押下された時点から、再度押下された時点までの間の期間のオーディオ信号が圧縮エンコードされたものが一時保存されている。
【０１４０】
次に、ディスプレイ画面２１９Ｄに、保存するオーディオデータのファイル名の入力を求めるメッセージを表示して、保存データのファイル名の入力を促す（ステップＳ４０６）。ユーザは、このメッセージを見て、タイトル名などをファイル名として入力するので、このファイル名の入力を受け付ける（ステップＳ４０７）。そして、決定ボタンＫｅの押下を判別すると（ステップＳ４０８）、送信バッファ２２３に蓄えられていた圧縮オーディオデータを、ハードディスクドライブ２１５に転送し、入力されたファイル名で、ハードディスクに書き込む（ステップＳ４０９）。
【０１４１】
こうして、チューナ部２０１で受信した放送音声信号や、自動車に持ち込まれたＣＤやテープの再生音声信号のうちの、希望する部分をハードディスクに保存することができる。
【０１４２】
なお、オーディオデータの保存用のメディアとしては、ハードディスクに限られるものではない。例えば、記録可能なミニディスク、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔａｂｌｅ）などの記録可能なディスク媒体や、半導体メモリ（ＩＣメモリ）などにオーディオデータを保存する機能を車載機器に備えておくことにより、それらの記録媒体を用いることもできる。ＣＤ−ＲＷなどの記録媒体を用いる場合には、車載機器に対して着脱可能とすることができ、便利である。また、記録媒体の交換が可能であるので、記録容量に制限はない。
【０１４３】
［車載機器からのアップロードの説明］
以上のようにして、車載機器２１に保存したオーディオデータは、送信ボタンＫｔの押下により、自宅のパーソナルコンピュータにアップロードして、そのハードディスクに保存するようにすることができる。このアップロードの動作を、図１３〜図１５および図８および図１６を参照して説明する。図１３〜図１５は、ダウンロード動作時の車載機器２１側での処理のフローチャートであり、また、図８および図１６は、アップロード時のパーソナルコンピュータ１１側での処理のフローチャートである。
【０１４４】
すなわち、車載機器２１において、ユーザにより送信ボタンＫｔが押下されると、制御部２１０では、それを認識する（図１３のステップＳ５０１）。そして、制御部２１０は、自宅の電話番号へ発呼するように、携帯端末インタフェース２２５を通じて携帯電話端末２２を制御する（同、ステップＳ５０２）。すると、携帯電話端末２２は、予め登録されている自宅の電話番号を用いて、発呼を行う。
【０１４５】
この発呼に対して、パーソナルコンピュータ１１は、前述のダウンロードの場合の図８で説明したように、携帯電話端末２２からの発呼による着信を検出し（図８のステップＳ２０１）、発信者電話番号をチェックする（同、ステップＳ２０２）。そして、発信者電話番号が、登録された携帯電話端末２２の電話番号であるか否かを判別し（同、ステップＳ２０３）、携帯電話端末２２の電話番号と異なるときには、応答をしない（同、ステップＳ２０４）。したがって、自宅の電話回線に接続されている電話端末のベルが鳴動し、通常の電話着信と同様の動作となる。
【０１４６】
一方、発信者電話番号が、登録された携帯電話端末２２の電話番号と同じであると判別されたときには、パーソナルコンピュータ１１は、自動応答して（同、ステップＳ２０５）、回線を接続する。
【０１４７】
そして、車載機器２１では、パーソナルコンピュータ１１の自動応答により、パーソナルコンピュータ１１側と接続されたと判別し（図１３のステップＳ５０３）、予め用意されている識別コードと、パスワードと、動作モード「送信」を示す情報を送信する（同、ステップＳ５０４）。
【０１４８】
パーソナルコンピュータ１１は、これらの識別コードと、パスワードと、動作モード「送信」を示す情報を受信し（図８のステップＳ２０６）、まず、識別コードが登録されたものと等しい正しいものであるか否かを判別し（同、ステップＳ２０７）、次に、パスワードが登録された正しいものであるか否か判別する（同、ステップＳ２０８）。そして、識別コードとパスワードのいずれかが正しくないときには、パーソナルコンピュータ１１は、通信路の形成を拒否する「接続ＮＧ」の信号を車載機器２１側に送る（同、ステップＳ２０９）。その後、回線切断制御を行う（同、ステップＳ２１０）。
【０１４９】
車載機器２１では、パーソナルコンピュータ１１での識別コードと、パスワードによる認証結果を待ち（図１３のステップＳ５０５）、前記「接続ＮＧ」の信号がパーソナルコンピュータ１１から送られてきたときには、ディスプレイ画面２１９Ｄに「接続ＮＧ」の文字を表示し（同、ステップＳ５０６）、回線切断制御を行う（同、ステップＳ５０７）。
【０１５０】
一方、パーソナルコンピュータ１１での認証の結果、識別コードおよびパスワードが共に正しいと判別されたときには、パーソナルコンピュータ１１では、動作モードの判別を行う（図８のステップＳ２１１）。
【０１５１】
そして、このアップロードのルーチンでは、動作モードが「送信」と判別されるので、パーソナルコンピュータ１１は、アップロードの送信の失敗の回数ｉを予め初期化して、ｉ＝０としておく（図１６のステップＳ２３１）。
【０１５２】
一方、車載機器２１では、ハードディスクドライブ２１５のハードディスクに保存されているファイルの中から、アップロードすべきファイルを順次にディスプレイ画面２１９Ｄに表示して、選択させるための準備のために、ファイル番号を示す変数ｎを初期化して、ｎ＝１にする（図１４のステップＳ５１１）。そして、ハードディスクドライブ２１５のハードディスクから、指定されたファイル（ｎ）のタイトル名などを読み出し、ディスプレイ画面２１９Ｄに表示する（ステップＳ５１２）。
【０１５３】
次に、決定ボタンＫｅが押下されたか否か判別し（同、ステップＳ５１３）、決定ボタンＫｅが押下されたと判別されたときには、ハードディスクドライブ２１５から読み出した、そのファイル（ｎ）の圧縮オーディオデータおよび付随情報を送信バッファ２２３に転送し（同、ステップＳ５１４）、そして、そのファイル（ｎ）のデータを、携帯電話端末２２を通じてパーソナルコンピュータ１１側に送信する（同、ステップＳ５１５）。
【０１５４】
パーソナルコンピュータ１１側では、このファイル（ｎ）のデータの受信を待ち、受信を判別すると（図１６のステップＳ２３２）、その受信したファイル（ｎ）のデータを受信バッファ１１８に取り込む（同、ステップＳ２３３）。そして、この受信バッファ１１８からハードディスクドライブ１０５に転送して、そのハードディスクに書き込んで、保存する（同、ステップＳ２３４）。
【０１５５】
そして、ハードディスクへの保存が正しく完了したか否か判別し（同、ステップＳ２３５）、正しく完了していれば、「ファイル（ｎ）の保存終了」を示す情報を、送信結果として、車載機器２１側に送信する（同、ステップＳ２３６）。また、ハードディスクへの保存が正しく完了しなかった場合には、送信失敗の回数ｉをインクリメントし（同、ステップＳ２３９）、「ファイル（ｎ）の保存失敗」を示す情報と失敗回数ｉの値とを、車載機器２１側に送信結果として送信する（同、ステップＳ２４０）。
【０１５６】
そして、送信失敗回数ｉが、失敗の許容回数を超えたか否か判別する（同、ステップＳ２４１）。この例では、３回までの失敗を許容するものとしている。失敗の許容回数を超えている場合には、車載機器２１との通信回線を切断制御する（同、ステップＳ２３８）。許容回数の範囲内であれば、後述する再送信されるファイルを待つため、ステップＳ２３２に戻る。
【０１５７】
車載機器２１では、ファイル（ｎ）のデータの送信後、パーソナルコンピュータ１１側から送られてくる送信結果を受信する（図１５のステップＳ５３１）。そして、その送信結果をチェックして、アップロードが成功したか否か判別する（同、ステップＳ５３２）。「ファイル（ｎ）の保存終了」を示す情報を受信したことにより、アップロード成功と判別したときには、「ファイル（ｎ）の保存終了」をディスプレイ画面２１９Ｄに表示する（同、ステップＳ５３３）。
【０１５８】
そして、再び送信ボタンＫｔが押下されたか否か判別する（同、ステップＳ５３４）。この再度の送信ボタンＫｔの押下は、続いて別のファイル（ｎ）をアップロードする意志を意味しており、その押下が検知されたときには、ファイル番号の変数ｎを初期値ｎ＝１にして（同、ステップＳ５３５）、ステップＳ５１２に戻る。
【０１５９】
再度の送信ボタンＫｔの押下が検出されないときには、終了ボタンＫstが押下されたか否か判別される（同、ステップＳ５３６）。そして、終了ボタンＫstの押下が検出されないときには、ステップＳ５３４に戻り、終了ボタンＫstの押下が検出されたときには、パーソナルコンピュータ１１側にアップロード終了指示を送信し（同、ステップＳ５３７）、回線切断制御を行う（同、ステップＳ５３８）。
【０１６０】
また、ステップＳ５３２で「ファイル（ｎ）の保存失敗」を示す情報と失敗回数ｉを受信したことにより、アップロード失敗を検知したときには、失敗回数ｉをチェックする（同、ステップＳ５３９）。そして、失敗回数ｉが許容回数３を超えているか否か判別し（同、ステップＳ５４０）、許容回数を超えていない場合には、ファイル（ｎ）を再送する（同、ステップＳ５４３）。
【０１６１】
また、失敗回数ｉが許容回数を超えている場合には、ディスプレイ画面２１９Ｄに、「ファイル（ｎ）の保存失敗」を表示し（同、ステップＳ５４１）、回線切断制御を行う（同、ステップＳ５４２）。
【０１６２】
ディスプレイ画面２１９Ｄの「ファイル（ｎ）の保存失敗」の表示を見たユーザは、再度送信するか、操作をそのまま終了するかを判断し、再度送信するには、送信ボタンＫｔを押下する。すると、ステップＳ５０１から、上述の動作を繰り返すものとなる。
【０１６３】
なお、車載機器２１でのステップＳ５３７でアップロード終了指示が送信された場合、パーソナルコンピュータ１１では、ステップＳ２３７でこのアップロード終了指示を確認し、次のステップＳ２３８で回線切断制御を行う。
【０１６４】
以上のようにして、この実施の形態による情報再生システムによれば、車載機器のチューナ部２０１で受信し、ハードディスクに保存した放送番組のオーディオデータや、自動車内に同乗者に持ち込まれたＣＤやテープの再生情報などを、自宅のパーソナルコンピュータ１１側に送ることができ、このため、自宅のパーソナルコンピュータ１１でも車載機器２１で保存したオーディオ信号を楽しむことができる。
【０１６５】
なお、アップロードしたファイルと同じタイトル名のファイルが、既にパーソナルコンピュータ１１のハードディスクに保存されている場合には、パーソナルコンピュータ１１は、車載機器２１に同じファイルが既に存在している旨のメッセージを送り、重複保存をさけるように構成してもよい。
【０１６６】
なお、図１２を用いて説明した保存動作の終了後には、その保存したデータは送信バッファに存在している。このことを利用して、保存動作に引き続いて送信ボタンＫｔを押下することにより、その保存したデータをパーソナルコンピュータ１１側に上述と同様にしてアップロードするように構成することもできる。
【０１６７】
この場合には、保存した新規のファイルをアップロードするので、ハードディスクから一つ一つのファイルを読み出して、アップロードするかどうかの選択を行う必要がない。しかも、車載機器で新規に保存したファイルを確実に自宅のパーソナルコンピュータ１１にも保存させるようにすることができる。
【０１６８】
［同期動作の説明］
以上のように、この実施の形態の車載機器は、ダウンロードおよびアップロードの機能を有するので、これらの２つの機能を利用することにより、この実施の形態では、自宅のパーソナルコンピュータ１１側で保存されているオーディオファイルと、車載機器２１側で保存されているオーディオファイルとを、同じにするようにする同期動作を行うことができる。
【０１６９】
この同期動作は、同期ボタンＫｃが押下されることにより、起動される。この同期動作を、図１７〜図１８および図１９を参照して説明する。図１７および図１８は、同期動作時の車載機器２１側での処理のフローチャートであり、また、図１９は、同期動作時のパーソナルコンピュータ１１側での処理のフローチャートである。
【０１７０】
すなわち、図１７に示すように、ユーザにより同期ボタンＫｃが押下されると、制御部２１０では、それを認識する（図１７のステップＳ６０１）。そして、制御部２１０は、自宅の電話番号へ発呼するように、携帯端末インタフェース２２５を通じて携帯電話端末２２を制御する（同、ステップＳ６０２）。すると、携帯電話端末２２は、予め登録されている自宅の電話番号を用いて、発呼を行う。
【０１７１】
その後、前述したダウンロード動作時およびアップロード動作時と全く同様にして、パーソナルコンピュータ１１と接続されたことを確認した後に（同、ステップＳ６０３）、識別コード、パスワードおよび動作モード「同期」を示す情報を送信する（同、ステップＳ６０４）。そして、パーソナルコンピュータ１１からの認証結果により、認証がとれなかったと判別した時には（同、ステップＳ６０５）、「接続ＮＧ」をディスプレイ画面２１９Ｄに表示して（同、ステップＳ６０６）、回線切断制御する（ステップＳ６０７）。
【０１７２】
ここまでの通信回線の形成の際のパーソナルコンピュータ１１側での処理動作は、図８に示した通りである。そして、このときには、図８のステップＳ２１１では、動作モードが「同期」であると判別するので、図１９のフローチャートに続くことになる。
【０１７３】
一方、車載機器では、認証が「ＯＫ」であったときには、今回の同期動作の前の同期動作以後の新ファイルを、パーソナルコンピュータ１１側に送信すべき同期新ファイルとして検索する（図１８のステップＳ６１１）。
【０１７４】
そして、この検索の結果をチェックし（同、ステップＳ６１２）、同期新ファイルがあったときには、その同期新ファイルをパーソナルコンピュータ１１側に送信する（同、ステップＳ６１３）。そして、パーソナルコンピュータ１１側から「保存完了」を示す情報の到来をチェックし（同、ステップＳ６１４）、「保存失敗」を示す情報を受信したら、同期新ファイルを再送し（同、ステップＳ６１５）、パーソナルコンピュータ１１側から「保存完了」を示す情報を受信したら、パーソナルコンピュータ１１側からのアップロードを待つ。
【０１７５】
また、ステップＳ６１２で、同期新ファイルがなかったと判別されたときには、「同期新ファイル無し」を示す情報をパーソナルコンピュータ１１側に送信する（同、ステップＳ６１６）。そして、パーソナルコンピュータ１１側からのアップロードを待つ。
【０１７６】
パーソナルコンピュータ１１側では、車載機器２１から「同期新ファイル無し」を示す情報を受信したか否か判別し（図１９のステップＳ２５１）、「同期新ファイル無し」を示す情報を受信したときには、図１９のステップＳ２５８以降の後述するパーソナルコンピュータ１１側のアップロード（車載機器側のダウンロードとなる）に移行する。
【０１７７】
「同期新ファイル無し」を示す情報を受信しなかったときには、パーソナルコンピュータ１１は、車載機器２１から送られてくる同期新ファイルを待ち、受信する（図１９のステップＳ２５２）。そして、受信した同期新ファイルのファイル名と、ハードディスクドライブ１０５のハードディスクに格納されているファイルと比較参照する（同、ステップＳ２５３）。
【０１７８】
そして、ハードディスクに記憶済みではなく、保存が必要なファイルが有るか否か判別し（同、ステップＳ２５４）、保存が必要なファイルが有れば、そのファイルのデータを、受信バッファ１１８からハードディスクドライブ１０５に転送して、ハードディスクに保存する（同、ステップＳ２５５）。そして、その保存が正しく完了したか否か判別し（同、ステップＳ２５６）、保存が正しく完了しなかったときには、「保存失敗」を示す情報を車載機器２１側に送信する（同、ステップＳ２５７）。また、保存が正しく完了したときには、「保存完了」を車載機器２１側に送信する（同、ステップＳ２５８）。
【０１７９】
そして、パーソナルコンピュータ１１では、車載機器２１送信すべき、つまり、アップロードすべきファイルがあるか否か判別する（同、ステップＳ２５９）。この判別は、前回の同期以後の新ファイルがあるか否か判別し、新ファイルがあるときには、その新ファイルと、受信したファイルとを、例えばファイル名などと比較することにより、一致しないものが有るかどうかチェックし、一致しないものが有れば、それを送信すべきファイルとして判別する。
【０１８０】
ステップＳ２５９で、送信すべき新ファイルが無いと判別されたときには、パーソナルコンピュータ１１は、車載機器２１側に「送信ファイル無し」を示す情報を送信する（同、ステップＳ２６０）。そして、接続されていた通信回線の切断制御を行う（同、ステップＳ２６３）。
【０１８１】
また、ステップＳ２５９で、送信すべき新ファイルが有ると判別されたときには、その新ファイルを車載機器２１側に送信する（同、ステップＳ２６１）。そして、車載機器２１側からの「保存完了」を示す情報を得るまで、再送を行い（同、ステップＳ２６２）、「保存完了」を示す情報を受信したら、回線切断制御を行う（同、ステップＳ２６３）。
【０１８２】
パーソナルコンピュータ１１側からのアップロードの待機中であった車載機器２１は、パーソナルコンピュータ１１側から「送信ファイル無し」を受信したか否か判別する（図１８のステップＳ６１７）。そして、「送信ファイル無し」を受信したときには、回線を切断する（同、ステップＳ６２４）。
【０１８３】
また、「送信ファイル無し」を受信しなかったときには、パーソナルコンピュータ１１から送られてくる送信ファイルを待って、受信バッファ２２４に取り込む（同、ステップＳ６１８）。そして、受信バッファ２２４に取り込んだファイルをハードディスクドライブ２１５に転送して、ハードディスクに保存する（同、ステップＳ６１９）。
【０１８４】
そして、保存が正しく完了したか否か判別し、正しく完了しなかったときには、「保存失敗」をパーソナルコンピュータ１１側に送信し（同、ステップＳ６２１）、パーソナルコンピュータ１１側からファイルを再受信したら（同、ステップＳ６２２）、ステップＳ６１８に戻る。
【０１８５】
また、保存が正しく完了したと判別したときには、「保存完了」をパーソナルコンピュータ１１側に送信し（同、ステップＳ６２３）、その後、回線を切断する制御を行い（同、ステップＳ６２４）、同期動作を終了する。
【０１８６】
以上の同期動作により、例えば、車載機器２１で、新たに、ファイル（１）、ファイル（２）、ファイル（３）が保存されていると共に、パーソナルコンピュータ１１では、新たに、ファイル（１）、ファイル（４）、ファイル（５）が保存された場合には、車載機器２１からは、ファイル（１）、ファイル（２）、ファイル（３）が同期新ファイルとしてパーソナルコンピュータ１１側に送信される。パーソナルコンピュータ１１では、ファイル（２）、ファイル（３）は、保存されていないので、それをハードディスクに格納する。そして、パーソナルコンピュータ１１は、ファイル（４）、ファイル（５）をアップロードすべきデータとして車載機器２１に送信する。車載機器２１は、これをハードディスクに格納する。
【０１８７】
こうして、自宅のパーソナルコンピュータと、車載機器とで、全く同じオーディオファイルを保持して、楽しむことができる。
【０１８８】
なお、保存する媒体としては、前述と同様に、ハードディスクに限られるものでは無く、半導体メモリや、装置に対して着脱可能な光ディスクなどの記録媒体であっても良い。
【０１８９】
また、以上の例では、車載機器２１側から同期動作を起動するようにしたが、同期動作はパーソナルコンピュータ１１側から起動するようにすることもできる。その場合には、上述の動作は、車載機器２１の動作と、パーソナルコンピュータ１１の動作とが全く入れ替わるものとなる。
【０１９０】
［タイマー予約動作］
以上の実施の形態では、ユーザが受信ボタンＫｒや、送信ボタンＫｔあるいは同期ボタンＫｃを押下したときに、各動作モードを起動するようにしたが、予めユーザが設定した時刻になったら、上述の動作を起動するようにすることもできる。その場合には、車載機器２１には、時計回路を設ける。
【０１９１】
図２０は、その場合のタイマー予約動作の説明のためのフローチャートである。まず、選択ボタンＫupなどを用いたユーザの起動時刻の設定入力を受け付ける（ステップＳ７０１）。次に、決定ボタンＫｅなどの操作による時刻設定完了の操作入力がなされたか否か判別し（ステップＳ７０２）、時刻設定が完了したと判別したときには、起動する動作モードが、ダウンロード（受信）か、アップロード（送信）か、同期かの設定の入力を受け付ける（ステップＳ７０３）。
【０１９２】
次に、受け付けた動作モードが同期動作モードであるか否か判別し（ステップＳ７０４）、同期動作モードでなければ、アップロードあるいはダウンロードの動作モードであるので、ダウンロードあるいはアップロードを要求するファイルの指定を促すメッセージをディスプレイ画面２１９Ｄに表示して、そのファイル指定入力を受け付ける（ステップＳ７０５）。
【０１９３】
そして、決定ボタンＫｅによるファイル指定完了の指示入力を待ち（ステップＳ７０６）、決定ボタンＫｅが押下があったら、指定されたファイルを示す指定情報を、例えばＲＡＭ２０４に保存する。その後、さらなる決定ボタンＫｅなどの操作によるモード設定完了の操作入力がなされたか否か判別し（ステップＳ７０７）、モード設定が完了したと判別したときには、スタンバイ状態にする（ステップＳ７０８）。
【０１９４】
また、ステップＳ７０４で、受け付けた動作モードが同期動作モードであると判別されたときは、ユーザによるファイルの選択作業は不要であるので、決定ボタンＫｅなどの操作によるモード設定完了の操作入力がなされた否か判別し（ステップＳ７０７）、モード設定が完了したと判別したときには、スタンバイ状態にする（ステップＳ７０８）。
【０１９５】
このスタンバイ状態では、ステップＳ７０１で設定された時刻を監視し（ステップＳ７０９）、設定された時刻と一致したときには、車載機器２１の電源を立ち上げ（ステップＳ７１０）、ステップＳ７０３で設定された起動動作モードが何であるかを判別し（ステップＳ７１１）、アップロードであれば、事前に指定してあるファイルのパーソナルコンピュータ１１へのアップロード動作を、前述したようにして実行する（ステップＳ７１２）。
【０１９６】
また、起動動作モードがダウンロードであれば、事前に指定してあるファイルのアップロード要求をパーソナルコンピュータ１１に送って、前述したようにしてダウンロードを実行する（ステップＳ７１３）。
【０１９７】
さらに、起動動作モードが同期であれば、前述の同期ボタンＫｃが押下されたときと全く同様にして、同期動作を実行する（ステップＳ７１４）。
【０１９８】
なお、車載機器２１に携帯電話端末を置いたままにすると共に、パーソナルコンピュータ１１からの呼び出しにより、車載機器２１がその電源を立ち上げることができるようにすることにより、パーソナルコンピュータからも、全く同様にして、タイマー予約動作を行うことが可能である。
【０１９９】
なお、タイマー予約動作に限らず、同期動作、ダウンロード動作、アップロード動作は、パーソナルコンピュータ１１から起動することができることはいうまでもない。
【０２００】
以上のようにして、タイマー予約動作により、同期動作、ダウンロード動作、アップロード動作することができるので、通信のトラフィックの少なく、通信料金が安価な夜間などの時間帯を予約して、パーソナルコンピュータとの通信を行うことにより、通信コストを削減することもできる。
【０２０１】
［第２の実施の形態］
上述の実施の形態のダウンロードは、パーソナルコンピュータ１１のハードディスクなどの記憶手段に保存されているオーディオデータのダウンロードであった。このため、ダウンロードするオーディオデータは、予め、パーソナルコンピュータ１１のハードディスクなどの記録手段に保存しておく必要がある。
【０２０２】
これに対して、以下に説明する第２の実施の形態では、自宅のパーソナルコンピュータ１１がＣＤプレーヤなどの再生電子機器を制御できるように構成し、車載機器２１からのダウンロード要求に応じて、パーソナルコンピュータ１１が、その再生電子機器を再生制御して、その再生信号をダウンロードするようにすることができる。
【０２０３】
図２１は、この第２の実施の形態の場合のパーソナルコンピュータ１１のハードウエア構成を示すものであり、図２に示した第１の実施の形態の場合のパーソナルコンピュータ１１と等しい部分には同一符号を付してある。
【０２０４】
この第２の実施の形態では、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，Ｉｎｃ．）１３９４規格のインテリジェントなインタフェース１２１を備え、このインタフェース１２１に対して、ＣＤプレーヤ１２２、ＭＤプレーヤ１２３、ＤＶＤオーディオプレーヤ１２４などが接続されている。以下に説明する例においては、これらのプレーヤは、複数枚のディスクを同時に装填可能して、そのうちの一枚のディスクを選択して再生が可能ないわゆるチェンジャ機能付のものとされている。
【０２０５】
その他は、図２のパーソナルコンピュータ１１と同様である。なお、図２１では、図面スペースの関係で、ＣＤ−ＲＯＭドライブ、ＣＤデコード部は、省略したが、これらの要素をパーソナルコンピュータ１１が備えていても良いことは勿論である。
【０２０６】
［ダウンロード動作の説明］
この第２の実施の形態の場合のダウンロード動作について、図２２〜図２６を参照して説明する。図２２〜図２４は、この第２の実施の形態の場合のダウンロード動作時の車載機器２１側での処理のフローチャートであり、また、図２５、図２６は、この第２の実施の形態の場合のダウンロード時のパーソナルコンピュータ１１側での処理のフローチャートである。
【０２０７】
図２２に示すように、車載機器２１において、ユーザにより受信ボタンＫｒが押下されると、ダウンロードが起動される。このとき、パーソナルコンピュータ１１側との電話回線を通じた通信路の形成について、認証が行われ、認証がＮＧのときには、回線が切断される動作は、前述の図５を用いて示した第１の実施の形態の場合と全く同じである。すなわち、図２２のステップＳ８０１〜ステップＳ８０７は、図５のステップＳ１０１〜ステップＳ１０７と全く同様である。
【０２０８】
また、パーソナルコンピュータ１１の動作も、図８に示した動作モードの判別のステップＳ２１１までは、全く同一である。図２５および図２６に示した処理部分は、図８で、動作モードが「受信」と判別された後のパーソナルコンピュータ１１での動作である。
【０２０９】
この第２の実施の形態の場合には、ステップＳ８０５で、認証がＯＫであるときには、パーソナルコンピュータ１１は、図２５に示すように、接続されている再生電子機器のリストを車載機器２１に送信する（ステップＳ９０１）。
【０２１０】
車載機器２１は、このパーソナルコンピュータ１１からの再生電子機器のリストを受信し、そのリストをハードディスクに保存する（ステップＳ８０８）。そして、そのリストをディスプレイ画面２９１Ｄに表示して、ユーザに再生電子機器の選択を促す（ステップＳ８０９）。
【０２１１】
そして、ユーザが選択ボタンＫupおよび決定ボタンＫｅを用いて再生電子機器を選択したか否か判別し（ステップＳ８１０）、再生電子機器の選択されないときには、終了ボタンＫstが押下されたか否か判別する（ステップＳ８１１）。終了ボタンＫstが押下されないと判別されたときには、ステップＳ８１０に戻る。そして、ステップＳ８１１で終了ボタンＫstが押下されたと判別されたときには、ディスプレイ画面２１９Ｄに「ダウンロード終了」を表示し（ステップＳ８１２）、ダウンロード終了指示を、パーソナルコンピュータ１１側に送信する（ステップＳ８１３）。その後、回線切断制御を行う（ステップＳ８０７）。
【０２１２】
パーソナルコンピュータ１１は、車載機器２１からのダウンロード終了指示を受信したことを判別すると（図２５のステップＳ９０５）、回線切断制御を行なう（同、ステップＳ９０７）。
【０２１３】
一方、車載機器２１で、ステップＳ８１０でリストから再生電子機器が選択されたと判別されたときには、その選択された再生電子機器を示す情報（機器指定情報）をパーソナルコンピュータ１１側に送信する（ステップＳ８１４）。
【０２１４】
パーソナルコンピュータ１１では、この機器指定情報を受信すると（図２５のステップＳ９０２）、選択された機器で提供可能なディスク（ｎ）のリストを、当該選択された機器から読み込む（同、ステップＳ９０３）。そして、その提供可能なディスク（ｎ）のリストを送信する（同、ステップＳ９０４）。
【０２１５】
車載機器２１では、このディスク（ｎ）のリストを受信し（図２２のステップＳ８１５）、それぞれのディスク（ｎ）のタイトル名などの個々のディスク選択の資料となる情報を表示するための準備のために、ディスク番号を示す変数ｎを初期値（ｎ＝１）に設定する（図２３のステップＳ８２１）。すると、その変数ｎのディスク（ｎ）のタイトル名などが、ディスプレイ画面２１９Ｄに表示される（同、ステップＳ８２２）。この例では、ディスク（ｎ）のタイトル名などは、一つのディスクづつ、ディスプレイ画面２１９Ｄに表示される。
【０２１６】
次に、車載機器２１では、決定ボタンＫｅが押下されたか否か判別される（図２３、ステップＳ８２３）。この決定ボタンＫｅの押下は、ディスプレイ画面２１９Ｄにその時にタイトル名などが表示されているディスクの再生データのダウンロード要求を意味する。
【０２１７】
決定ボタンＫｅが押下されなかった場合には、選択ボタンＫupが押下されたか否か判別される（図２４、ステップＳ８３１）。この選択ボタンＫupの押下は、ダウンロード要求するディスクを他の候補にする操作を意味する。
【０２１８】
すなわち、選択ボタンＫupが押下されると、アップボタンの操作であれば、リスト上の次のｎ＝ｎ＋１のディスク（ｎ）の選択となり、また、ダウンボタンの操作であれば、リスト上の前のｎ＝ｎ−１のディスク（ｎ）の選択となる（同、ステップＳ８３２）。このとき、最後のディスク（Ｎ）から次のディスクが指定されたときには、最初のディスク（１）に戻り、また、最初のディスク（１）よりも前のディスクが指定された場合には、最後のディスク（Ｎ）の選択とされる（同、ステップＳ８３３〜ステップＳ８３６）。
【０２１９】
そして、選択されたディスクが更新されると、ステップＳ８２２に戻り、更新したディスク（ｎ）のタイトル名などをディスプレイ画面２１９Ｄに表示する  （ステップＳ８２３）。
【０２２０】
決定ボタンＫｅおよび選択ボタンＫupが押下されなかった場合には、終了ボタンＫstが押下されたか否か判別される（図２４のステップＳ８３７）。そして、終了ボタンＫstが押下されなかったと判別されたときには、図２３のステップＳ８２３に戻り、また、終了ボタンＫstが押下されたと判別されたときには、ディスプレイ画面２１９Ｄにディスク（ｎ）のリストを表示する状態に戻る。
【０２２１】
また、ステップＳ８２３で、決定ボタンＫｅが押下されたと判別されたときには、当該ディスク（ｎ）の再生データのダウンロード要求の指示をパーソナルコンピュータ１１側に送信する（同、ステップＳ８２４）。
【０２２２】
パーソナルコンピュータ１１は、ダウンロード終了指示を受信することなく、ダウンロード要求を受信したと判別したときは（図２５のステップＳ９０６）、選択指示された再生電子機器に、ダウンロード要求されたディスク（ｎ）の再生を指示する（図２６のステップＳ９１１）。そして、再生したデータを送信バッファ１１７に保存する（同、ステップＳ９１２）。次に、ディスク（ｎ）の再生が終了したか否か判別する（同、ステップＳ９１３）。
【０２２３】
再生が終了していないときには、送信バッファ１１７が一杯になって、空き容量がなくなったか否か判別する（同、ステップＳ９１４）、送信バッファ１１７の空き容量が存在すると判別したときには、ステップＳ９１３に戻り、再生を継続する。
【０２２４】
また、送信バッファ１１７の空き容量がなくなったと判別したときには、再生中の再生電子機器に対して、一時停止（ポーズ状態）を指示し（同、ステップＳ９１５）、送信バッファ１１７に格納されているデータを車載機器２１側に送信する（同、ステップＳ９１６）。そして、送信バッファ１１７のデータをクリアし（同、ステップＳ９１７）、再生電子機器のポーズ状態を解除して、再生状態に戻す（同、ステップＳ９１８）。
【０２２５】
そして、ステップＳ９１２に戻り、再生を再開した再生電子機器からの再生データを送信バッファ１１７に保存する。そして、ディスク（ｎ）の最後まで再生を行ない、その再生終了を検知すると（ステップＳ９１３）、再生中の再生電子機器に対して、停止（ストップ状態）を指示し（同、ステップＳ９１９）、送信バッファ１１７に格納されているデータを車載機器２１側に送信する（同、ステップＳ９２０）。そして、送信バッファ１１７のデータをクリアし（同、ステップＳ９２１）、その後、図２５のステップＳ９０５に戻る。
【０２２６】
車載機器２１のユーザが、別のディスクの再生データのダウンロード要求をしたときには、ステップＳ９０６以降を繰り返す。また、ユーザが終了ボタンＫstを押下したときには、前述したようにダウンロード終了となる。
【０２２７】
なお、この第２の実施の形態の場合のダウンロードも、予め、再生させてダウンロードを要求するディスクやファイルを指定しておくことにより、第１の実施の形態の場合のタイマー予約と全く同様にして、タイマー動作を行うようにすることもできる。その場合には、通信のトラフィックの少ない夜間などの時間帯を予約して利用することにより、通信コストを削減することもできる。
【０２２８】
なお、上述の第２の実施の形態では、ディスク単位のダウンロードについて説明したが、ミニディスクなどのように、各ディスクにトラック名（曲名）がファイル単位（曲単位）で記録されているメディアが再生対象である場合には、ディスク単位ではなく、ファイル単位で、再生指定してダウンロードすることも可能である。
【０２２９】
［その他の実施の形態］
ダウンロードまたはアップロードする情報は、上述の実施の形態の場合のようなオーディオデータに限られるものではない。例えば、画像データをダウンロードまたはアップロードする場合にも、この発明は適用可能である。その場合に、上述の実施の形態と同様に、ダウンロードまたはアップロードする画像データは、圧縮した方が伝送効率が高くなると共に、ハードディスクなどの記憶手段に記憶する画像データを多くすることができる。圧縮方式としては、ＭＰＥＧ２方式などを用いることができる。
【０２３０】
移動可能機器としては、上述の実施の形態の場合のような車載機器に限られるものではなく、携帯型のパーソナルコンピュータであっても良い。また、携帯電話端末として、記憶手段を内蔵し、あるいは外部記憶手段を接続可能に構成し、、その記憶手段の記憶データを再生する機能を備えるものを用いることにより、携帯電話端末そのものを移動可能機器とすることもできる。
【０２３１】
また、無線通信手段としては、携帯電話端末を用いるものに限られず、無線通信機能を車載機器などの移動可能機器が備えていても勿論よい。
【０２３２】
また、この発明は、パーソナルコンピュータからダウンロードする対象情報を地図情報やルート情報とすることにより、ナビゲーションに利用される測位システムに適用することができる。
【０２３３】
この測位システムの実施の形態の場合には、移動可能機器、例えば車載機器は、地図を表示するためのディスプレイと、地図情報を格納するハードディスクやＲＡＭなどを用いて構成される記憶手段と、この記憶手段に格納されている地図情報を読み出して、ディスプレイに表示する地図表示手段と、衛星からの情報に基づいて自車の位置を求め、求めた自車位置を前記ディスプレイの地図上において表示する例えばＧＰＳ（Ｇｌｏｂａｌ  Ｐｏｓｉｔｉｏｎｉｎｇ  Ｓｙｓｔｅｍ）受信機などの測位手段とを備える。
【０２３４】
さらに、移動可能機器には、電話回線を通じてデータの送受を行うための無線通信手段と、この無線通信手段により、予め定められた特定の電話番号に発呼することにより、当該発呼先のパーソナルコンピュータとの間に電話回線を通じた通信路を形成するように要求する通信要求を、パーソナルコンピュータに送る通信路形成要求手段と、形成された通信路を介してパーソナルコンピュータ側に設けられる記憶手段に格納されている地図情報のダウンロードを要求するダウンロード要求手段と、ダウンロード要求手段による要求によりダウンロードされてきた地図情報を記憶手段に格納する格納手段とを設ける。
【０２３５】
無線通信手段は、前述の実施の形態の場合と同様に、携帯電話端末を用いても良いし、また、内蔵の無線通信手段を用いるようにすることもできる。
【０２３６】
一方、パーソナルコンピュータ側は、地図情報を格納するハードディスクなどの記憶手段を備えると共に、電話回線を通じてデータの送受を行うためのインタフェースとして、ルーターなどに接続されて構成されている。
【０２３７】
そして、パーソナルコンピュータは、ソフトウエア機能として、車載機器などの移動可能機器からの通信要求を受けて、移動可能機器との間に電話回線を通じた通信路を形成するための通信路形成手段と、形成された通信路を通じた移動可能機器からのダウンロードの要求に応じて、記憶手段に格納されている地図情報を、形成された通信路を通じて移動可能機器にダウンロードするダウンロード手段とを備える。
【０２３８】
また、パーソナルコンピュータに、移動可能機器からのダウンロード要求に対して、形成された通信路を通じて、移動可能機器にダウンロード可能な地図情報の地域に関する一覧情報を送る手段を設ける。
【０２３９】
そして、車載機器などの移動可能端末には、このパーソナルコンピュータ側から送られてくるダウンロード可能な地図情報の地域に関する一覧情報を受信して、ユーザに報知する手段と、その報知された一覧情報からユーザにより選択された地域を示す選択指定を受け付ける手段と、当該受け付けられた選択指定情報を、ダウンロード要求に含めて、パーソナルコンピュータに送出する手段を設ける。
【０２４０】
そして、選択指定情報を受信したパーソナルコンピュータは、その選択指定情報に基づいて、ダウンロードする地図情報を選択して、車載機器へのダウンロードを実行するようにする。
【０２４１】
この測位システムの場合には、自動車で外出したときに、その行き先で必要になった地図情報を、自宅のパーソナルコンピュータからダウンロードして、車載機器としてのナビゲーションシステムに利用することができる。
【０２４２】
なお、パーソナルコンピュータに、ルート検索して生成したルート情報を記憶しておき、それを車載機器側にダウンロードして、ナビゲーションシステムのルート設定情報として使用するようにすることもできる。この場合には、旅行の前日などにおいて、自宅のパーソナルコンピュータにおいてルート検索して、予め目的地までのルート情報を記憶しておき、それを車載機器側のダウンロードして用いるという使い方が可能になり、便利である。
【０２４３】
また、車載機器で設定したルート情報を、パーソナルコンピュータ側にアップロードすることができるように構成することもできる。
【０２４４】
同様に、この測位システムは、地図情報やルート情報がダウンロードやアップロードの対象となるだけで、車載機器に限らず、上述と同様にして、携帯型のナビゲーション機器や、ナビゲーション機能付きの携帯電話端末そのものについても適用できる。
【０２４５】
なお、通信回線としては、電話回線に限らないことはいうまでもない。
【０２４６】
【発明の効果】
以上説明したように、この発明による情報再生システムによれば、自宅のパーソナルコンピュータの記憶手段に保存してある音楽情報や映像情報を、車載機器などの移動可能機器にダウンロードして利用することができるので、音楽情報や映像情報の記録媒体を移動させる必要がなく、非常に便利である。
【０２４７】
また、この発明による情報再生システムによれば、車載機器などの移動可能機器で記録した情報をアップロードして自宅のパーソナルコンピュータに保存することが可能であるので、移動可能機器で記録媒体に情報を記録して、自宅に持ち込む必要がなく、便利である。
【０２４８】
また、この発明による情報再生システムによれば、移動可能機器で保存している情報内容と、パーソナルコンピュータで保存している情報内容とを一致させるように同期させることができるので、自宅と車載機器などの移動可能機器とで、同じ、ファイルライブラリーの環境で、音楽情報や映像情報を再生して楽しむことができる。
【０２４９】
また、この発明による情報再生システムによれば、予め予約設定した時刻で、ダウンロード、アップロードあるいは同期動作を行うことができるので、通信のトラフィックが少なく、しかも、通信コストが安価な夜間などを利用して、ダウンロード、アップロードあるいは同期動作を実行することができる。
【０２５０】
また、この発明による測位システムによれば、ＣＤ−ＲＯＭなどの地図情報を記憶した媒体を車載機器などの移動可能機器に持ち込まなくても、自宅のパーソナルコンピュータにその地図情報が用意されていれば、車載機器にダウンロードして利用することができる。したがって、遠出をしたときに、道に迷ってしまったときなど、必要な地図情報を何時でもパーソナルコンピュータからダウンロードして利用することができ、便利である。
【図面の簡単な説明】
【図１】  この発明による情報記録再生システムの実施の形態の全体の概要を示す図である。
【図２】  第１の実施の形態の情報記録再生システムのパーソナルコンピュータの構成例を示すブロック図である。
【図３】  この発明による移動可能機器の実施の形態としての車載機器の構成例を示すブロック図である。
【図４】  図３の車載機器のフロントパネルの例を示す図である。
【図５】  この発明による情報記録再生システムの実施の形態におけるダウンロード時の車載機器側の動作を説明するためのフローチャートの一部である。
【図６】  この発明による情報記録再生システムの実施の形態におけるダウンロード時の車載機器側の動作を説明するためのフローチャートの一部である。
【図７】  この発明による情報記録再生システムの実施の形態におけるダウンロード時の車載機器側の動作を説明するためのフローチャートの一部である。
【図８】  この発明による情報記録再生システムの実施の形態におけるダウンロード時のパーソナルコンピュータ側の動作を説明するためのフローチャートの一部である。
【図９】  この発明による情報記録再生システムの実施の形態におけるダウンロード時のパーソナルコンピュータ側の動作を説明するためのフローチャートの一部である。
【図１０】  この発明による情報記録再生システムの実施の形態の車載機器側での再生動作を説明するためのフローチャートの一部である。
【図１１】  この発明による情報記録再生システムの実施の形態の車載機器側での再生動作を説明するためのフローチャートの一部である。
【図１２】  この発明による情報記録再生システムの実施の形態の車載機器側でのデータ保存動作を説明するためのフローチャートの一部である。
【図１３】  この発明による情報記録再生システムの実施の形態におけるアップロード時の車載機器側の動作を説明するためのフローチャートの一部である。
【図１４】  この発明による情報記録再生システムの実施の形態におけるアップロード時の車載機器側の動作を説明するためのフローチャートの一部である。
【図１５】  この発明による情報記録再生システムの実施の形態におけるアップロード時の車載機器側の動作を説明するためのフローチャートの一部である。
【図１６】  この発明による情報記録再生システムの実施の形態におけるアップロード時のパーソナルコンピュータ側の動作を説明するためのフローチャートの一部である。
【図１７】  この発明による情報記録再生システムの実施の形態における同期動作時の車載機器側の動作を説明するためのフローチャートの一部である。
【図１８】  この発明による情報記録再生システムの実施の形態における同期動作時の車載機器側の動作を説明するためのフローチャートの一部である。
【図１９】  この発明による情報記録再生システムの実施の形態における同期動作時のパーソナルコンピュータ側の動作を説明するためのフローチャートの一部である。
【図２０】  この発明による情報記録再生システムの実施の形態の車載機器側でのタイマー予約動作を説明するためのフローチャートの一部である。
【図２１】  第２の実施の形態の情報記録再生システムのパーソナルコンピュータの構成例を示すブロック図である。
【図２２】  第２の実施の形態の情報記録再生システムにおけるアップロード時の車載機器側の動作を説明するためのフローチャートの一部である。
【図２３】  第２の実施の形態の情報記録再生システムにおけるアップロード時の車載機器側の動作を説明するためのフローチャートの一部である。
【図２４】  第２の実施の形態の情報記録再生システムにおけるアップロード時の車載機器側の動作を説明するためのフローチャートの一部である。
【図２５】  第２の実施の形態の情報記録再生システムにおけるアップロード時のパーソナルコンピュータ側の動作を説明するためのフローチャートの一部である。
【図２６】  第２の実施の形態の情報記録再生システムにおけるアップロード時のパーソナルコンピュータ側の動作を説明するためのフローチャートの一部である。
【符号の説明】
１１…パーソナルコンピュータ、１２…ルーター、２１…車載機器、２２…携帯電話端末、１０１…ＣＰＵ、１０５…ハードディスクドライブ、１０７…操作部、１０９…ディスプレイ、１１５…圧縮エンコード部、１１６…伸長デコード部、１１７…送信バッファ、１１８…受信バッファ、２０１…チューナ部、２０２…ＣＤプレーヤ部、２０３…テーププレーヤ部、２０４…プリアンプ、２１１…ＣＰＵ、２１５…ハードディスクドライブ、２１７…操作ボタン群、２１９…ディスプレイ、２２１…圧縮エンコード部、２２２…伸長デコード部、２２３…送信バッファ、２２４…受信バッファ、２２５…携帯端末インタフェース
【図１】
0004380886.tif 000002
【図２】
0004380886.tif 000003
【図３】
0004380886.tif 000004
【図４】
0004380886.tif 000005
【図５】
0004380886.tif 000006
【図６】
0004380886.tif 000007
【図７】
0004380886.tif 000008
【図８】
0004380886.tif 000009
【図９】
0004380886.tif 000010
【図１０】
0004380886.tif 000011
【図１１】
0004380886.tif 000012
【図１２】
0004380886.tif 000013
【図１３】
0004380886.tif 000014
【図１４】
0004380886.tif 000015
【図１５】
0004380886.tif 000016
【図１６】
0004380886.tif 000017
【図１７】
0004380886.tif 000018
【図１８】
0004380886.tif 000019
【図１９】
0004380886.tif 000020
【図２０】
0004380886.tif 000021
【図２１】
0004380886.tif 000022
【図２２】
0004380886.tif 000023
【図２３】
0004380886.tif 000024
【図２４】
0004380886.tif 000025
【図２５】
0004380886.tif 000026
【図２６】
0004380886.tif 000027